(57)【特許請求の範囲】
【請求項１】
筐体の外部から内部にバラ紙幣を投入するための投入部と、
前記筐体の内部でバラ紙幣を搬送する搬送部と、
前記搬送部により搬送されるバラ紙幣の金種を識別する識別部と、
前記搬送部から送られたバラ紙幣を収納する複数の収納部と、
前記各収納部に収納される前の１または複数の金種のバラ紙幣を一時的にまとめて保留する一時保留部と、
所定枚数のバラ紙幣を包装することにより包装紙幣を作成する包装紙幣作成部と、
前記包装紙幣作成部により包装される前のバラ紙幣が集積される集積部と、
記憶部と、
２つ以上の包装対象の金種を前記記憶部に記憶させるとともに、前記投入部により前記筐体の内部に投入されたバラ紙幣のうち、前記記憶部に記憶されている２つ以上の包装対象の金種のうち少なくとも１つの包装対象の金種のバラ紙幣を前記集積部に送り、残りの包装対象の金種のバラ紙幣を前記一時保留部に送り、前記集積部に送られたバラ紙幣が前記包装紙幣作成部により包装されると前記一時保留部から残りの包装対象の金種のバラ紙幣を前記集積部に送って前記包装紙幣作成部により包装させるよう各構成部材の制御を行う制御部と、
を備え、
前記制御部は、前記投入部により前記筐体の内部に投入されたバラ紙幣のうち前記識別部により最初に識別されたバラ紙幣の金種を包装対象の金種として前記記憶部に記憶させ、当該金種のバラ紙幣を前記集積部に送るよう前記搬送部を制御する、紙幣処理装置。
【請求項２】
前記制御部は、前記記憶部に記憶されている包装対象の金種の数が前記集積部の数よりも多い場合に、前記投入部により前記筐体の内部に投入されたバラ紙幣のうち一部の包装対象の金種のバラ紙幣を前記一時保留部に送るよう前記搬送部を制御する、請求項１記載の紙幣処理装置。
【請求項３】
前記包装紙幣作成部により作成された包装紙幣は前記筐体の外部に投出されるようになっている、請求項１または２記載の紙幣処理装置。
【請求項４】
前記包装紙幣作成部により作成された包装紙幣を収納するための包装紙幣収納部を更に備えた、請求項１乃至３のいずれか一項に記載の紙幣処理装置。
【請求項５】
前記集積部に残留する前記所定枚数よりも少ない端数分のバラ紙幣は前記集積部以外の箇所に送られるようになっている、請求項１乃至４のいずれか一項に記載の紙幣処理装置。
【請求項６】
前記集積部には、当該集積部に集積されているバラ紙幣を前記搬送部に繰り出す繰出機構が設けられている、請求項５記載の紙幣処理装置。
【請求項７】
前記一時保留部に一時的に保留されている包装対象の金種のバラ紙幣のうち前記所定枚数よりも少ない金種のバラ紙幣は前記集積部に送られないようになっている、請求項１乃至６のいずれか一項に記載の紙幣処理装置。
【請求項８】
前記制御部は、包装対象の金種のバラ紙幣を前記集積部に送る際に、複数の前記集積部に同じ包装対象の金種を割り当てることができるようになっている、請求項１乃至７のいずれか一項に記載の紙幣処理装置。
【請求項９】
前記記憶部に記憶される、包装対象の金種は、バラ紙幣の金種、新旧、正損、向きのうちのいずれか、あるいはこれらを組み合わせたものである、請求項１乃至８のいずれか一項に記載の紙幣処理装置。
【請求項１０】
筐体の外部から内部にバラ紙幣を投入するための投入部、前記筐体の内部でバラ紙幣を搬送する搬送部、前記搬送部により搬送されるバラ紙幣の金種を識別する識別部、前記搬送部から送られたバラ紙幣を収納する複数の収納部、前記各収納部に収納される前の１または複数の金種のバラ紙幣を一時的にまとめて保留する一時保留部、所定枚数のバラ紙幣を包装することにより包装紙幣を作成する包装紙幣作成部、および前記包装紙幣作成部により包装される前のバラ紙幣が集積される集積部を有する紙幣処理装置と、
前記紙幣処理装置とは別に設けられ、当該紙幣処理装置の管理を行う管理装置と、
を備えた紙幣処理システムであって、
記憶部と、
２つ以上の包装対象の金種を前記記憶部に記憶させるとともに、前記投入部により前記筐体の内部に投入されたバラ紙幣のうち、前記記憶部に記憶されている２つ以上の包装対象の金種のうち少なくとも１つの包装対象の金種のバラ紙幣を前記集積部に送り、残りの包装対象の金種のバラ紙幣を前記一時保留部に送り、前記集積部に送られたバラ紙幣が前記包装紙幣作成部により包装されると前記一時保留部から残りの包装対象の金種のバラ紙幣を前記集積部に送って前記包装紙幣作成部により包装させるよう前記紙幣処理装置の各構成部材の制御を行う制御部と、
を備え、
前記制御部は、前記投入部により前記筐体の内部に投入されたバラ紙幣のうち前記識別部により最初に識別されたバラ紙幣の金種を包装対象の金種として前記記憶部に記憶させ、当該金種のバラ紙幣を前記集積部に送るよう前記紙幣処理装置の前記搬送部を制御する、紙幣処理システム。
【請求項１１】
前記制御部は前記管理装置に設けられている、請求項１０記載の紙幣処理システム。
【請求項１２】
筐体の外部から内部にバラ紙幣を投入するための投入部、前記筐体の内部でバラ紙幣を搬送する搬送部、前記搬送部により搬送されるバラ紙幣の金種を識別する識別部、前記搬送部から送られたバラ紙幣を収納する複数の収納部、前記収納部に収納される前の１または複数の金種のバラ紙幣を一時的にまとめて保留する一時保留部、所定枚数のバラ紙幣を包装することにより包装紙幣を作成する包装紙幣作成部、および前記包装紙幣作成部により包装される前のバラ紙幣が集積される集積部を有する紙幣処理装置が行う紙幣処理方法であって、
前記投入部により前記筐体の内部に投入された２つ以上の金種のバラ紙幣のうち、前記識別部により識別されたバラ紙幣の金種を包装対象の金種として記憶部に記憶させる工程と、
前記投入部により前記筐体の内部に投入された２つ以上の金種のバラ紙幣のうち、前記識別部により最初に識別された金種のバラ紙幣を前記集積部に送り、残りの包装対象の金種のバラ紙幣を前記一時保留部に送る工程と、
前記集積部に送られたバラ紙幣を前記包装紙幣作成部により包装する工程と、
前記一時保留部から残りの包装対象の金種のバラ紙幣を前記集積部に送り、前記集積部に送られたバラ紙幣を前記包装紙幣作成部により包装する工程と、
を備えた、紙幣処理方法。
【発明の詳細な説明】
【技術分野】
【０００１】
本発明は、筐体の内部に投入されたバラ紙幣を包装紙幣作成部に送り、当該包装紙幣作成部においてバラ紙幣を帯封することにより帯封紙幣を作成するような紙幣処理装置、このような紙幣処理装置を備えた紙幣処理システムおよびこのような紙幣処理装置による紙幣処理方法に関する。
【背景技術】
【０００２】
筐体の内部に投入された所定枚数（例えば、１００枚）のバラ紙幣を帯封部により帯封して帯封紙幣を作成し、作成された帯封紙幣を筐体の外部に投出することができるような紙幣処理装置として従来から様々なタイプのものが知られている（例えば、特許文献１等参照）。特許文献１に開示される紙幣処理装置では、筐体の内部に投入されたバラ紙幣を識別部により識別し、識別部において帯封対象の金種であると識別されたバラ紙幣を一時集積部に送り、この一時集積部に所定枚数のバラ紙幣が集積されると帯封部により帯封し、作成された帯封紙幣を帯封紙幣投出部に送るようになっている。一方、識別部において帯封対象の金種ではないと識別されたバラ紙幣や、搬送異常等により識別することができなかったバラ紙幣は入金リジェクト口に送られ、操作者によって入金リジェクト口から手で取り出されることにより筐体の外部に返却されるようになっている。
【先行技術文献】
【特許文献】
【０００３】
【特許文献１】特許第５４７４４６１号
【発明の概要】
【発明が解決しようとする課題】
【０００４】
特許文献１に開示されるような従来の紙幣処理装置では、複数の金種のバラ紙幣を混合状態で筐体の内部に投入し、金種毎にバラ紙幣を帯封して複数の金種の帯封紙幣を作成する場合に、１回目の処理で１金種目のバラ紙幣を一時集積部に送って帯封部により帯封する一方、この１金種目以外の金種のバラ紙幣を入金リジェクト口に送って筐体の外部に一旦返却するようになっている。なぜならば、一時集積部には、帯封部により帯封されるべき１金種目のバラ紙幣しか集積させることができないからである。その後、操作者は入金リジェクト口からバラ紙幣を取り出して投入部に再セットすることにより２回目の処理を行う。この２回目の処理では、２金種目のバラ紙幣を一時集積部に送って帯封部により帯封する一方、この２金種目以外の金種のバラ紙幣を入金リジェクト口に送って筐体の外部に一旦返却する。また、３金種目以降のバラ紙幣を帯封する場合には同様の操作を繰り返し行うようになる。
【０００５】
しかしながら、このような従来の紙幣処理装置による処理方法では、操作者は２回目以降の処理を行うために入金リジェクト口に返却されたバラ紙幣を投入部に再セットしなければならないため操作が面倒であるという問題がある。また、２金種目以降のバラ紙幣は２回以上も処理されるようになるため合計の処理時間が長くなってしまうという問題がある。
【０００６】
本発明は、このような点を考慮してなされたものであり、複数の金種のバラ紙幣を混合状態で筐体の内部に投入し、金種毎にバラ紙幣を包装（帯封）して複数の金種の包装紙幣を作成する場合に、集積部に送られたある金種のバラ紙幣が包装紙幣作成部により包装された後に操作者が残りの包装対象の金種のバラ紙幣を投入部に再セットする必要がないため操作者の手間を省くことができるとともに合計の処理時間を短縮することができる紙幣処理装置、紙幣処理システムおよび紙幣処理方法を提供することを目的とする。
【課題を解決するための手段】
【０００７】
本発明の紙幣処理装置は、筐体の外部から内部にバラ紙幣を投入するための投入部と、前記筐体の内部でバラ紙幣を搬送する搬送部と、前記搬送部により搬送されるバラ紙幣の金種を識別する識別部と、前記搬送部から送られたバラ紙幣を収納する複数の収納部と、前記各収納部に収納される前の１または複数の金種のバラ紙幣を一時的にまとめて保留する一時保留部と、所定枚数のバラ紙幣を包装することにより包装紙幣を作成する包装紙幣作成部と、前記包装紙幣作成部により包装される前のバラ紙幣が集積される集積部と、記憶部と、２つ以上の包装対象の金種を前記記憶部に記憶させるとともに、前記投入部により前記筐体の内部に投入されたバラ紙幣のうち、前記記憶部に記憶されている２つ以上の包装対象の金種のうち少なくとも１つの包装対象の金種のバラ紙幣を前記集積部に送り、残りの包装対象の金種のバラ紙幣を前記一時保留部に送り、前記集積部に送られたバラ紙幣が前記包装紙幣作成部により包装されると前記一時保留部から残りの包装対象の金種のバラ紙幣を前記集積部に送って前記包装紙幣作成部により包装させるよう各構成部材の制御を行う制御部と、を備え、前記制御部は、前記投入部により前記筐体の内部に投入されたバラ紙幣のうち前記識別部により最初に識別されたバラ紙幣の金種を包装対象の金種として前記記憶部に記憶させ、当該金種のバラ紙幣を前記集積部に送るよう前記搬送部を制御することを特徴とする。
【０００８】
このような紙幣処理装置によれば、投入部により筐体の内部に投入されたバラ紙幣のうち、記憶部に記憶されている２つ以上の包装対象の金種のうち少なくとも１つの包装対象の金種のバラ紙幣を集積部に送り、また、残りの包装対象の金種のバラ紙幣を一時保留部に送り、そして、集積部に送られたバラ紙幣が包装紙幣作成部により包装されると一時保留部から残りの包装対象の金種のバラ紙幣を集積部に送って包装紙幣作成部により包装させるようにしたため、複数の金種のバラ紙幣を混合状態で筐体の内部に投入し、金種毎にバラ紙幣を包装して複数の金種の包装紙幣を作成する場合に、集積部に送られたある金種のバラ紙幣が包装紙幣作成部により包装された後に操作者が残りの包装対象の金種のバラ紙幣を投入部に再セットする必要がないため操作者の手間を省くことができるとともに合計の処理時間を短縮することができる。
【００１２】
本発明の紙幣処理装置においては、前記制御部は、前記記憶部に記憶されている包装対象の金種の数が前記集積部の数よりも多い場合に、前記投入部により前記筐体の内部に投入されたバラ紙幣のうち一部の包装対象の金種のバラ紙幣を前記一時保留部に送るよう前記搬送部を制御するようになっていてもよい。
【００１３】
本発明の紙幣処理装置においては、前記包装紙幣作成部により作成された包装紙幣は前記筐体の外部に投出されるようになっていてもよい。
【００１４】
あるいは、本発明の紙幣処理装置は、前記包装紙幣作成部により作成された包装紙幣を収納するための包装紙幣収納部を更に備えていてもよい。
【００１５】
本発明の紙幣処理装置においては、前記集積部に残留する前記所定枚数よりも少ない端数分のバラ紙幣は前記集積部以外の箇所に送られるようになっていてもよい。
【００１６】
この場合、前記集積部には、当該集積部に集積されているバラ紙幣を前記搬送部に繰り出す繰出機構が設けられていてもよい。
【００１７】
本発明の紙幣処理装置においては、前記一時保留部に一時的に保留されている包装対象の金種のバラ紙幣のうち前記所定枚数よりも少ない金種のバラ紙幣は前記集積部に送られないようになっていてもよい。
【００１８】
本発明の紙幣処理装置においては、前記制御部は、包装対象の金種のバラ紙幣を前記集積部に送る際に、複数の前記集積部に同じ包装対象の金種を割り当てることができるようになっていてもよい。
【００１９】
本発明の紙幣処理装置においては、前記記憶部に記憶される、包装対象の金種は、バラ紙幣の金種、新旧、正損、向きのうちのいずれか、あるいはこれらを組み合わせたものであってもよい。
【００２０】
本発明の紙幣処理システムは、筐体の外部から内部にバラ紙幣を投入するための投入部、前記筐体の内部でバラ紙幣を搬送する搬送部、前記搬送部により搬送されるバラ紙幣の金種を識別する識別部、前記搬送部から送られたバラ紙幣を収納する複数の収納部、前記各収納部に収納される前の１または複数の金種のバラ紙幣を一時的にまとめて保留する一時保留部、所定枚数のバラ紙幣を包装することにより包装紙幣を作成する包装紙幣作成部、および前記包装紙幣作成部により包装される前のバラ紙幣が集積される集積部を有する紙幣処理装置と、前記紙幣処理装置とは別に設けられ、当該紙幣処理装置の管理を行う管理装置と、を備えた紙幣処理システムであって、記憶部と、２つ以上の包装対象の金種を前記記憶部に記憶させるとともに、前記投入部により前記筐体の内部に投入されたバラ紙幣のうち、前記記憶部に記憶されている２つ以上の包装対象の金種のうち少なくとも１つの包装対象の金種のバラ紙幣を前記集積部に送り、残りの包装対象の金種のバラ紙幣を前記一時保留部に送り、前記集積部に送られたバラ紙幣が前記包装紙幣作成部により包装されると前記一時保留部から残りの包装対象の金種のバラ紙幣を前記集積部に送って前記包装紙幣作成部により包装させるよう前記紙幣処理装置の各構成部材の制御を行う制御部と、
を備え、前記制御部は、前記投入部により前記筐体の内部に投入されたバラ紙幣のうち前記識別部により最初に識別されたバラ紙幣の金種を包装対象の金種として前記記憶部に記憶させ、当該金種のバラ紙幣を前記集積部に送るよう前記紙幣処理装置の前記搬送部を制御することを特徴とする。
【００２１】
このような紙幣処理システムによれば、紙幣処理装置において投入部により筐体の内部に投入されたバラ紙幣のうち、記憶部に記憶されている２つ以上の包装対象の金種のうち少なくとも１つの包装対象の金種のバラ紙幣を集積部に送り、また、残りの包装対象の金種のバラ紙幣を一時保留部に送り、そして、集積部に送られたバラ紙幣が包装紙幣作成部により包装されると一時保留部から残りの包装対象の金種のバラ紙幣を集積部に送って包装紙幣作成部により包装させるようにしたため、複数の金種のバラ紙幣を混合状態で紙幣処理装置の筐体の内部に投入し、金種毎にバラ紙幣を包装して複数の金種の包装紙幣を作成する場合に、集積部に送られたある金種のバラ紙幣が包装紙幣作成部により包装された後に操作者が残りの包装対象の金種のバラ紙幣を投入部に再セットする必要がないため操作者の手間を省くことができるとともに合計の処理時間を短縮することができる。
【００２２】
本発明の紙幣処理システムにおいては、前記制御部は前記管理装置に設けられていてもよい。
【００２３】
本発明の紙幣処理方法は、筐体の外部から内部にバラ紙幣を投入するための投入部、前記筐体の内部でバラ紙幣を搬送する搬送部、前記搬送部により搬送されるバラ紙幣の金種を識別する識別部、前記搬送部から送られたバラ紙幣を収納する複数の収納部、前記収納部に収納される前の１または複数の金種のバラ紙幣を一時的にまとめて保留する一時保留部、所定枚数のバラ紙幣を包装することにより包装紙幣を作成する包装紙幣作成部、および前記包装紙幣作成部により包装される前のバラ紙幣が集積される集積部を有する紙幣処理装置が行う紙幣処理方法であって、前記投入部により前記筐体の内部に投入された２つ以上の金種のバラ紙幣のうち、前記識別部により識別されたバラ紙幣の金種を包装対象の金種として記憶部に記憶させる工程と、前記投入部により前記筐体の内部に投入された２つ以上の金種のバラ紙幣のうち、前記識別部により最初に識別された金種のバラ紙幣を前記集積部に送り、残りの包装対象の金種のバラ紙幣を前記一時保留部に送る工程と、前記集積部に送られたバラ紙幣を前記包装紙幣作成部により包装する工程と、前記一時保留部から残りの包装対象の金種のバラ紙幣を前記集積部に送り、前記集積部に送られたバラ紙幣を前記包装紙幣作成部により包装する工程と、を備えたことを特徴とする。
【００２４】
このような紙幣処理方法によれば、紙幣処理装置において投入部により筐体の内部に投入されたバラ紙幣のうち、記憶部に記憶されている２つ以上の包装対象の金種のうち少なくとも１つの包装対象の金種のバラ紙幣を集積部に送り、また、残りの包装対象の金種のバラ紙幣を一時保留部に送り、そして、集積部に送られたバラ紙幣が包装紙幣作成部により包装されると一時保留部から残りの包装対象の金種のバラ紙幣を集積部に送って包装紙幣作成部により包装させるようにしたため、複数の金種のバラ紙幣を混合状態で紙幣処理装置の筐体の内部に投入し、金種毎にバラ紙幣を包装して複数の金種の包装紙幣を作成する場合に、集積部に送られたある金種のバラ紙幣が包装紙幣作成部により包装された後に操作者が残りの包装対象の金種のバラ紙幣を投入部に再セットする必要がないため操作者の手間を省くことができるとともに合計の処理時間を短縮することができる。
【発明の効果】
【００２５】
本発明の紙幣処理装置、紙幣処理システムおよび紙幣処理方法によれば、複数の金種のバラ紙幣を混合状態で筐体の内部に投入し、金種毎にバラ紙幣を包装（帯封）して複数の金種の帯封紙幣を作成する場合に、集積部に送られたある金種のバラ紙幣が包装紙幣作成部により包装された後に操作者が残りの包装対象の金種のバラ紙幣を投入部に再セットする必要がないため操作者の手間を省くことができるとともに合計の処理時間を短縮することができる。
【図面の簡単な説明】
【００２６】
【図１】本発明の実施の形態による貨幣入出金機の外観を示す斜視図である。
【図２】図１に示す貨幣入出金機における紙幣入出金装置を右側方から見たときの内部構成を概略的に示す概略構成図である。
【図３】図１に示す貨幣入出金機における硬貨入出金装置を正面側から見たときの内部構成を概略的に示す概略構成図である。
【図４】図３に示す硬貨入出金装置を左側方から見たときの内部構成を概略的に示す概略構成図である。
【図５】図３に示す硬貨入出金装置を右側方から見たときの内部構成を概略的に示す概略構成図である。
【図６】図３等に示す硬貨入出金装置における入金繰出部および入金搬送部を上方から見たときの構成を示す構成図である。
【図７】図３等に示す硬貨入出金装置における各構成部材間での硬貨の流れを示す説明図である。
【図８】図１に示す貨幣入出金機における制御系の構成を示す機能ブロック図である。
【図９】（ａ）〜（ｃ）は、それぞれ、図２に示す紙幣入出金装置において紙幣の整理処理が行われる際に記憶部に記憶される帯封対象の紙幣の金種を示す表である。
【図１０】（ａ）（ｂ）は、図２に示す紙幣入出金装置において紙幣の整理処理が行われるときのバラ紙幣や帯封紙幣の搬送経路を順に示す図である。
【図１１】図２に示す紙幣入出金装置において紙幣の整理処理が行われるときに操作表示部に表示される画面を示す図である。
【図１２】本発明の実施の形態による貨幣入出金機における別の構成の紙幣入出金装置を右側方から見たときの内部構成を概略的に示す概略構成図である。
【図１３】図１２に示す紙幣入出金装置において紙幣の整理処理が行われる際に記憶部に記憶される帯封対象の紙幣の金種を示す表である。
【図１４】図３等に示す硬貨入出金装置において硬貨の整理処理が行われる際に記憶部に記憶される包装対象の硬貨の金種を示す表である。
【図１５】変形例に係る紙幣処理装置の内部構成を概略的に示す概略構成図である。
【図１６】図１５に示す紙幣処理装置における制御系の構成を示す機能ブロック図である。
【発明を実施するための形態】
【００２７】
以下、図面を参照して本発明の実施の形態について説明する。図１乃至図１４は、本実施の形態による貨幣入出金機を示す図である。このうち、図１は、本実施の形態による貨幣入出金機の外観を示す斜視図であり、図２は、図１に示す貨幣入出金機における紙幣入出金装置の内部構成を概略的に示す概略構成図である。また、図３乃至図５は、それぞれ、図１に示す貨幣入出金機における硬貨入出金装置を正面側、左側方および右側方から見たときの内部構成を概略的に示す概略構成図であり、図６は、図３等に示す硬貨入出金装置における入金繰出部および入金搬送部を上方から見たときの構成を示す構成図である。また、図７は、図３等に示す硬貨入出金装置における各構成部材間での硬貨の流れを示す説明図である。また、図８は、図１に示す貨幣入出金機における制御系の構成を示す機能ブロック図である。また、図９（ａ）〜図９（ｃ）は、それぞれ、図２に示す紙幣入出金装置において紙幣の整理処理が行われる際に記憶部に記憶される帯封対象の紙幣の金種を示す表であり、図１０（ａ）および図１０（ｂ）は、図２に示す紙幣入出金装置において紙幣の整理処理が行われるときのバラ紙幣や帯封紙幣の搬送経路を順に示す図である。また、図１１は、図２に示す紙幣入出金装置において紙幣の整理処理が行われるときに操作表示部に表示される画面を示す図である。なお、図１２は、本実施の形態による貨幣入出金機における別の構成の紙幣入出金装置を右側方から見たときの内部構成を概略的に示す概略構成図であり、図１３は、図１２に示す紙幣入出金装置において紙幣の整理処理が行われる際に記憶部に記憶される帯封対象の紙幣の金種を示す表である。また、図１４は、図３等に示す硬貨入出金装置において硬貨の整理処理が行われる際に記憶部に記憶される包装対象の硬貨の金種を示す表である。
【００２８】
図１に示すように、本実施の形態による貨幣入出金機１は、紙幣入出金装置１０および硬貨入出金装置１１０が左右に並ぶよう配置されることにより構成されている。ここで、本実施の形態による貨幣入出金機１における紙幣入出金装置１０は、バラ紙幣の入金処理や出金処理を行うことができるとともに、機体内で所定枚数（例えば、１００枚）のバラ紙幣から帯封紙幣を作成したりこの作成された帯封紙幣の出金処理を行ったりすることができるようになっている。また、本実施の形態による貨幣入出金機１における硬貨入出金装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を作成したりこの作成された包装硬貨の出金処理を行ったりすることができるようになっている。このような貨幣入出金機１は、例えば、銀行等の金融機関（より詳細には、金融機関の事務所スペース）に設置され、金融機関の行員等により利用されるようになっている。
【００２９】
本実施の形態による貨幣入出金機１における紙幣入出金装置１０の構成について図１および図２を用いて説明する。図１および図２に示すように、紙幣入出金装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図２における筐体１２の左側の側面が紙幣入出金装置１０の前面側（すなわち、図１に示すように紙幣入出金装置１０を手前側から見たときの正面側）となっており、図２における右方向が筐体１２の奥行き方向となっている。
【００３０】
図１に示すように、投入部１４の前面は筐体１２の外部に開口しており、操作者はこの開口を介して投入部１４の内部にアクセスする（具体的には、投入部１４の内部に手を入れる）ことができるようになっている。このことにより、操作者は投入部１４の内部にバラ紙幣の束を投入することができるようになる。
【００３１】
一方、バラ紙幣投出部２４および帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉するようになっている。そして、シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことができるようになり、当該操作者はバラ紙幣投出部２４や帯封紙幣投出部４８に集積されているバラ紙幣や帯封紙幣を筐体１２の内部から外部に取り出すことができるようになる。これらのシャッター２４ａ、４８ａはシャッター駆動部２４ｂ、４８ｂ（図８参照）によりそれぞれ駆動されるようになっている。
【００３２】
なお、本実施の形態による紙幣入出金装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能するようになっている。
【００３３】
また、図２に示すように、筐体１２の前面におけるバラ紙幣投出部２４の下方には、紙幣入出金装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣入出金装置１０の本体部分を手前側に引き出さない限りこの出金リジェクト部２６にアクセスすることができないようになっている。
【００３４】
図２に示すように、投入部１４には、当該投入部１４に投入されたバラ紙幣を１枚ずつ筐体１２の内部に繰り出すための繰出部１６が設けられている。また、紙幣入出金装置１０の筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送されるようになっている。また、搬送部１８には識別部２０が設けられており、搬送部１８により搬送されるバラ紙幣は識別部２０によりその金種、真偽、表裏、正損、新旧、搬送状態等が識別されるようになっている。また、搬送部１８には表裏反転部２２が設けられており、識別部２０により識別されたバラ紙幣は表裏反転部２２によりその表裏が揃うように反転させられるようになっている。
【００３５】
また、図２に示すように、搬送部１８には入金一時保留部３０、混合バラ紙幣収納部３２および複数（図２に示す例では３つ）の金種別バラ紙幣収納部３４がそれぞれ接続されており、搬送部１８からこれらの入金一時保留部３０、混合バラ紙幣収納部３２および各金種別バラ紙幣収納部３４にバラ紙幣が送られるようになっている。ここで、入金一時保留部３０、混合バラ紙幣収納部３２および各金種別バラ紙幣収納部３４にはそれぞれ図２における上下方向に移動可能となっているステージ３０ａ、３２ａ、３４ａが設けられており、これらのステージ３０ａ、３２ａ、３４ａ上でバラ紙幣が積層状態で集積されるようになっている。
【００３６】
また、入金一時保留部３０の上端部の近傍には紙幣繰出繰入部３０ｂが設けられており、入金一時保留部３０に保留されているバラ紙幣は紙幣繰出繰入部３０ｂにより１枚ずつ搬送部１８に繰り出されるようになっている。また、紙幣繰出繰入部３０ｂにより搬送部１８から入金一時保留部３０にバラ紙幣が１枚ずつ繰り入れられるようになっている。
【００３７】
また、混合バラ紙幣収納部３２の上端部の近傍には紙幣繰入部３２ｂが設けられており、搬送部１８からこの紙幣繰入部３２ｂにより混合バラ紙幣収納部３２にバラ紙幣が１枚ずつ繰り入れられるようになっている。ここで、混合バラ紙幣収納部３２には、各金種別バラ紙幣収納部３４に割り当てられていない金種のバラ紙幣（例えば、二千円紙幣）や損券、ならびにオーバーフロー紙幣等が混合状態で収納されるようになっている。なお、本実施の形態では、混合バラ紙幣収納部３２に収納されているバラ紙幣を搬送部１８に繰り出すことができないようになっている。
【００３８】
また、各金種別バラ紙幣収納部３４の上端部の近傍にはそれぞれ紙幣繰出繰入部３４ｂが設けられており、各金種別バラ紙幣収納部３４に収納されているバラ紙幣は紙幣繰出繰入部３４ｂにより１枚ずつ搬送部１８に繰り出されるようになっている。バラ紙幣の出金処理が行われる際に、各金種別バラ紙幣収納部３４から搬送部１８に繰り出されたバラ紙幣が当該搬送部１８により識別部２０に送られ、識別部２０により識別された後にバラ紙幣投出部２４に送られることによって、操作者はバラ紙幣投出部２４から出金紙幣を取り出すことができるようになる。また、各紙幣繰出繰入部３４ｂにより搬送部１８から各金種別バラ紙幣収納部３４にバラ紙幣が１枚ずつ繰り入れられるようになっている。ここで、各金種別バラ紙幣収納部３４には、それぞれ予め設定された特定の金種のバラ紙幣（例えば、千円紙幣、五千円紙幣および一万円紙幣からなる３つの金種のバラ紙幣）が金種毎に収納されるようになっている。
【００３９】
図１および図２に示すように、筐体１２の下部には下部扉１２ａが設けられており、この下部扉１２ａを開くことにより操作者は入金一時保留部３０の内部にアクセスすることができるようになっている。また、入金一時保留部３０、混合バラ紙幣収納部３２および各金種別バラ紙幣収納部３４は、筐体１２の内部から手前側に（すなわち、図２における左方向に）引き出し可能となっている引出ユニット１３に収容されている。そして、操作者が下部扉１２ａを開いて引出ユニット１３を筐体１２の内部から手前側に引き出すことにより、当該操作者は混合バラ紙幣収納部３２や各金種別バラ紙幣収納部３４を引出ユニット１３から取り外したり引出ユニット１３に装着したりすることができるようになる。また、本実施の形態による紙幣入出金装置１０では、引出ユニット１３を筐体１２の内部にロックするためのロック機構５０（図８参照）が引出ユニット１３に設けられている。
【００４０】
また、図２に示すように、搬送部１８には複数（図２に示す例では２つ）の整理一時保留部４０が接続されており、当該搬送部１８から各整理一時保留部４０にバラ紙幣が送られるとこれらの整理一時保留部４０にバラ紙幣が積層状態で集積されるようになっている。また、整理一時保留部４０に集積されているバラ紙幣を搬送部１８に１枚ずつ繰り出すような繰出部（図示せず）が各整理一時保留部４０に設けられていてもよい。また、本実施の形態による紙幣入出金装置１０では、所定枚数（例えば、１００枚）のバラ紙幣からなる紙幣束に帯封紙を巻くことにより帯封紙幣を作成する帯封部４２が各整理一時保留部４０の隣に設けられている。
【００４１】
また、図２に示すように、筐体１２の内部において帯封部４２の近傍にはアーム機構４４が設けられており、当該アーム機構４４は各整理一時保留部４０、帯封部４２および後述する帯封紙幣揚送部４６の間で移動可能となっている。このようなアーム機構４４は、各整理一時保留部４０に集積された所定枚数のバラ紙幣からなる紙幣束を帯封部４２に搬送するようになっている。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれるようになっている。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡すことができるようになっている。このような動作を繰り返すことにより、複数の帯封紙幣を帯封紙幣揚送部４６のステージ４６ａ上に集積させることができる。
【００４２】
帯封紙幣揚送部４６には、図２における上下方向に移動可能となっているステージ４６ａが設けられており、帯封部４２により作成された帯封紙幣がアーム機構４４からステージ４６ａ上に受け渡されると、当該ステージ４６ａ上に帯封紙幣が集積されるようになる。そして、アーム機構４４からステージ４６ａ上に１または複数の帯封紙幣が受け渡された後、ステージ４６ａが図２における上方向に移動することにより帯封紙幣投出部４８と同じ高さレベルに到達し、シャッター４８ａが開くと、操作者は帯封紙幣投出部４８の内部にアクセスしてステージ４６ａ上に集積されている帯封紙幣を筐体１２の外部に取り出すことができるようになる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させたりすることができるようになる。
【００４３】
図２に示すように、筐体１２の内部における上部領域には、複数（図２に示す例では４つ）の帯封紙幣収納部７０が設けられており、これらの帯封紙幣収納部７０には、帯封部４２により作成された帯封紙幣が積層状態で収納されるようになっている。具体的には、各帯封紙幣収納部７０には、それぞれ予め設定された特定の金種の帯封紙幣が収納されるようになっている。なお、予め設定された特定の金種の帯封紙幣が収納される帯封紙幣収納部７０が４つ設けられる代わりに、複数の帯封紙幣収納部７０のうち少なくとも１つの帯封紙幣収納部７０に金種が異なる帯封紙幣が混合状態で収納されるようになっていてもよい。
【００４４】
各帯封紙幣収納部７０の内部にはそれぞれ図２における上下方向に移動可能となっているステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積されるようになっている。また、各帯封紙幣収納部７０から帯封紙幣を出す場合には、ステージ７０ａが上昇することにより各帯封紙幣収納部７０の上端部（天井部分）に設けられた開口から帯封紙幣が上方に出されるようになる。
【００４５】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別されるようになっている。
【００４６】
ここで、帯封部４２により作成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達するようになる。また、循環ベルト６０ｂは図２における反時計回りの方向に循環移動する。このことにより、ステージ４６ａ上の帯封紙幣のうち最上位にある帯封紙幣が突起６０ａにより引っ掛けられて循環ベルト６０ｂの下面に沿って図２における右方向に搬送され、判別部６２によりその金種が判別された後、当該判別部６２による判別結果に基づいて対応する各帯封紙幣収納部７０に収納されるようになる。一方、各帯封紙幣収納部７０に収納されている帯封紙幣を帯封紙幣投出部４８により筐体１２の外部に出金する際には、循環ベルト６０ｂは図２における時計回りの方向に循環移動し、各帯封紙幣収納部７０から上方に押し出された最上位の帯封紙幣が突起６０ａにより引っ掛けられて循環ベルト６０ｂの下面に沿って図２における左方向に搬送されるようになる。また、ステージ４６ａが上昇して帯封紙幣搬送部６０の近傍の位置まで到達するようになる。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが帯封紙幣投出部４８と同じ高さレベルまで下降し、シャッター４８ａが開くようになる。
【００４７】
次に、本実施の形態による貨幣入出金機１における硬貨入出金装置１１０の構成について図１および図３乃至図７を用いて説明する。図１および図３乃至図７に示すように、本実施の形態による硬貨入出金装置１１０は、略直方体形状の筐体１１２と、筐体１１２の上面に設けられた硬貨投入口１２１に投入されたバラ硬貨を筐体１１２の内部に繰り出す入金繰出部１２０と、入金繰出部１２０により繰り出されたバラ硬貨を搬送する入金搬送部１２８と、入金搬送部１２８により搬送されるバラ硬貨を識別する入金識別部１２９とを備えている。また、図６に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０、入金識別部１２９により特定の任意の金種の硬貨であると識別されたバラ硬貨を選別する任意選別部１３４、および入金識別部１２９により各々の金種の硬貨であると識別されたバラ硬貨を選別する複数の金種別選別部１３６がそれぞれ設けられている。また、筐体１１２の内部には、任意選別部１３４や各金種別選別部１３６により選別されたバラ硬貨を金種毎に一時的に保留する入金一時保留部１４０、および入金一時保留部１４０から送られたバラ硬貨を金種毎に収納するとともに収納されているバラ硬貨を繰り出すことができる複数の収納繰出部１５２がそれぞれ設けられている。また、筐体１１２の内部には、任意選別部１３４により選別されたバラ硬貨を紙やフィルム等の包装媒体により包装することによって包装硬貨を作成する包装部１６０、包装部１６０により作成された包装媒体を収納する包装硬貨収納ユニット２００および包装部１６０により作成された包装媒体を筐体１１２の内部で搬送する包装硬貨搬送ユニット２１０がそれぞれ設けられている。このような硬貨入出金装置１１０の各構成部材の詳細について以下に説明する。
【００４８】
図３、図４および図６に示すように、入金繰出部１２０は、筐体１１２の上面に設けられた硬貨投入口１２１に投入されたバラ硬貨を受け入れる供給円盤１２２と、この供給円盤１２２からバラ硬貨が適量ずつ供給される回転円盤１２４と、回転円盤１２４からバラ硬貨を１枚ずつ入金搬送部１２８に繰り出す繰出機構１２６とを有している。
【００４９】
図６に示すように、入金搬送部１２８は、入金繰出部１２０から繰り出されたバラ硬貨を搬送路に沿って搬送する搬送ベルトを有している。ここで、搬送ベルトとしては例えば入金搬送部１２８の搬送路に沿って移動する丸ベルトが用いられるようになっており、入金繰出部１２０から繰り出されたバラ硬貨は当該丸ベルトとの間で働く摩擦力により搬送路に沿って搬送されるようになっている。また、入金搬送部１２８には、当該入金搬送部１２８により搬送されるバラ硬貨の金種、真偽、正損、新旧、表裏、搬送状態等の識別を行う入金識別部１２９が設けられている。入金識別部１２９によるバラ硬貨の識別情報は後述する制御部３００に送られるようになっている。
【００５０】
また、図６に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０が設けられている。また、図４に示すように、筐体１１２の内部には、リジェクト選別部１３０により選別されたリジェクト硬貨としてのバラ硬貨が集積される入金リジェクト部１３８、およびリジェクト選別部１３０から入金リジェクト部１３８にリジェクト硬貨としてのバラ硬貨を送る入金リジェクト用シュート１３１がそれぞれ設けられている。ここで、図１に示すように、操作者は筐体１１２の前面から入金リジェクト部１３８の内部にアクセス可能となっており、入金リジェクト部１３８に送られたリジェクト硬貨としてのバラ硬貨を操作者は筐体１１２の前面から取り出すことができるようになっている。
【００５１】
また、図６に示すように、入金搬送部１２８において、硬貨の搬送方向におけるリジェクト選別部１３０の下流側には、入金識別部１２９により特定の任意の金種の硬貨であると識別されたバラ硬貨を選別する任意選別部１３４が設けられている。ここで、任意選別部１３４により選別される特定の任意の金種の硬貨とは、例えばバラ硬貨の包装処理において包装部１６０によって包装媒体により包装されることにより包装硬貨とされるべきバラ硬貨や、特定の金種の硬貨の計数処理において袋装着部に装着される貯留袋１７５（図４において二点鎖線で表示）に送られるべきバラ硬貨のことをいう。
【００５２】
また、図６に示すように、入金搬送部１２８において、硬貨の搬送方向における任意選別部１３４の更に下流側には、入金識別部１２９により各々の金種の硬貨であると識別されたバラ硬貨を選別する複数の金種別選別部１３６が設けられている。具体的には、複数の金種別選別部１３６として、硬貨の搬送方向における上流側から順に、５円硬貨を選別する５円硬貨選別部１３６ａ、１円硬貨を選別する１円硬貨選別部１３６ｂ、５０円硬貨を選別する５０円硬貨選別部１３６ｃ、１００円硬貨を選別する１００円硬貨選別部１３６ｄ、１０円硬貨を選別する１０円硬貨選別部１３６ｅおよび５００円硬貨を選別する５００円硬貨選別部１３６ｆが設けられている。ここで、リジェクト選別部１３０、任意選別部１３４および５円硬貨選別部１３６ａは、ソレノイド等の電気的駆動機構によって強制的にバラ硬貨を分岐孔に落とし込ませるような構成となっている。一方、１円硬貨選別部１３６ｂ、５０円硬貨選別部１３６ｃ、１００円硬貨選別部１３６ｄおよび１０円硬貨選別部１３６ｅは、小径硬貨から大径硬貨の順にバラ硬貨を径の大きさで選別して該当する分岐孔に落とし込ませるような構成となっている。また、５００円硬貨選別部１３６ｆは、５円硬貨選別部１３６ａ、１円硬貨選別部１３６ｂ、５０円硬貨選別部１３６ｃ、１００円硬貨選別部１３６ｄおよび１０円硬貨選別部１３６ｅの各分岐孔に落とし込まれなかったバラ硬貨を５００円硬貨として当該５００円硬貨選別部１３６ｆに対応する分岐孔に落とし込ませるような構成となっている。
【００５３】
また、図３および図４に示すように、筐体１１２の内部において入金搬送部１２８の下方には入金一時保留部１４０が設けられている。入金一時保留部１４０は、任意選別部１３４により選別されたバラ硬貨が一時的に保留される任意一時保留部１４２と、各金種別選別部１３６により選別されたバラ硬貨が金種別に一時的に保留される金種別一時保留部１４４とを有している。ここで、任意一時保留部１４２は、その上部および底部が開口した枠体から構成されている。また、金種別一時保留部１４４は、５円、１円、５０円、１００円、１０円、５００円の各金種に対応する保留領域１４４ａ、１４４ｂ、１４４ｃ、１４４ｄ、１４４ｅ、１４４ｆに区画された、その上部および底部が開口した枠体から構成されている。また、任意一時保留部１４２や金種別一時保留部１４４の下方には板状の底部材１４６が設けられており、これらの任意一時保留部１４２や金種別一時保留部１４４の枠体の底部に設けられた開口が底部材１４６により選択的に閉止されるようになっている。また、図３および図４に示すように、入金一時保留部１４０は、任意一時保留部１４２および金種別一時保留部１４４を水平方向（具体的には、図３における左右方向）に移動させる第１駆動機構１４５と、底部材１４６を水平方向（具体的には、図３における左右方向）に移動させる第２駆動機構１４７とを有している。なお、本実施の形態では、金種別一時保留部１４４の各保留領域１４４ａ〜１４４ｆ毎に枠体が分割されており、各保留領域１４４ａ〜１４４ｆは、他の保留領域１４４ａ〜１４４ｆから独立して移動することができるようになっている。また、各保留領域１４４ａ〜１４４ｆの底部の開口を塞ぐ板状の底部材１４６も各保留領域１４４ａ〜１４４ｆ毎に分割されており、分割された底部材１４６は他の底部材１４６から独立して移動することができるようになっている。
【００５４】
また、図３および図４に示すように、筐体１１２の内部において入金一時保留部１４０の更に下方には、入金一時保留部１４０から送られたバラ硬貨を筐体１１２の外部に排出するための排出部１５０、入金一時保留部１４０から送られたバラ硬貨を金種毎に収納するとともに収納されているバラ硬貨を繰り出すことができる複数の収納繰出部１５２、入金一時保留部１４０の任意一時保留部１４２から送られたバラ硬貨を包装部１６０や後述する袋装着部に装着された貯留袋１７５に送るシュート機構１７０、入金一時保留部１４０の任意一時保留部１４２から送られたバラ硬貨が収納されるバラ硬貨一括収納箱１９８（図１および図７参照、図３や図４では図示せず）、および金種別一時保留部１４４の各保留領域１４４ａ〜１４４ｆから包装部１６０にバラ硬貨を送る包装用シュート１４８（図７参照、図３や図４では図示せず）がそれぞれ設けられている。なお、包装用シュート１４８は金種別一時保留部１４４の各保留領域１４４ａ〜１４４ｆに対応して複数（具体的には、６つ）設けられている。
【００５５】
入金一時保留部１４０における金種別一時保留部１４４の各保留領域１４４ａ〜１４４ｆは、各金種別選別部１３６の分岐孔の真下かつ排出部１５０の真上の位置である第１位置と、各収納繰出部１５２の真上の位置である第２位置と、包装用シュート１４８の真上の位置である第３位置との間で図３における左右方向に移動可能となっている。また、底部材１４６は、第１位置にある金種別一時保留部１４４の各保留領域１４４ａ〜１４４ｆの底部の開口を塞ぐ第１位置と、第１位置にある金種別一時保留部１４４の各保留領域１４４ａ〜１４４ｆの底部の開口を開く第２位置との間で図３における左右方向に移動可能となっている。また、本実施の形態による硬貨入出金装置１１０が待機状態にあるときには金種別一時保留部１４４の各保留領域１４４ａ〜１４４ｆは第１位置に位置するとともに底部材１４６も第１位置に位置するようになる。ここで、金種別一時保留部１４４の各保留領域１４４ａ〜１４４ｆが第１位置に位置するとともに底部材１４６が第１位置に位置しているときには、各金種別選別部１３６の分岐孔に落とし込まれたバラ硬貨は金種別一時保留部１４４の各保留領域１４４ａ〜１４４ｆに金種毎に一時的に保留されるようになる。そして、金種別一時保留部１４４の各保留領域１４４ａ〜１４４ｆにバラ硬貨が一時的に保留されている状態から第１駆動機構１４５により金種別一時保留部１４４の各保留領域１４４ａ〜１４４ｆが第１位置から第２位置に移動させられると、各保留領域１４４ａ〜１４４ｆの底部に設けられた開口が開くことにより各保留領域１４４ａ〜１４４ｆからバラ硬貨が自重により落下して各収納繰出部１５２の収納領域１５２ａ〜１５２ｆ（後述）に金種毎に送られ、各収納繰出部１５２の収納領域１５２ａ〜１５２ｆに金種毎に収納されるようになる。一方、金種別一時保留部１４４の各保留領域１４４ａ〜１４４ｆにバラ硬貨が一時的に保留されている状態から第２駆動機構１４７により底部材１４６が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して排出部１５０に送られ、この排出部１５０に金種混合状態で集積されるようになる。また、金種別一時保留部１４４の各保留領域１４４ａ〜１４４ｆにバラ硬貨が一時的に保留されている状態から第１駆動機構１４５により金種別一時保留部１４４の各保留領域１４４ａ〜１４４ｆが第１位置から第３位置に移動させられると、各保留領域１４４ａ〜１４４ｆの底部に設けられた開口が開くことにより各保留領域１４４ａ〜１４４ｆからバラ硬貨が自重により落下して包装用シュート１４８により包装部１６０に送られるようになる。
【００５６】
また、入金一時保留部１４０における任意一時保留部１４２は、第１駆動機構１４５による当該任意一時保留部１４２の移動方向（具体的には、図３における左右方向）に沿って並ぶ第１保留領域および第２保留領域に区画されたものから構成されている。また、任意一時保留部１４２が第１位置に位置しているときには任意一時保留部１４２の第１保留領域が任意選別部１３４の分岐孔の真下に位置するとともに排出部１５０の真上に位置するようになる。なお、このときに底部材１４６が第１位置に位置しているときには任意一時保留部１４２の第１保留領域の底部の開口が当該底部材１４６により塞がれるようになり、任意選別部１３４の分岐孔に落とし込まれたバラ硬貨は任意一時保留部１４２の第１保留領域に一時的に保留されるようになる。また、任意一時保留部１４２が第２位置に位置しているときには任意一時保留部１４２の第１保留領域がバラ硬貨一括収納箱１９８の真上に位置するようになっている。そして、任意一時保留部１４２の第１保留領域にバラ硬貨が一時的に保留されている状態から第１駆動機構１４５により任意一時保留部１４２が第１位置から第２位置に移動させられると、任意一時保留部１４２の第１保留領域の底部に設けられた開口が開くことによりこの第１保留領域からバラ硬貨が自重により落下してバラ硬貨一括収納箱１９８に送られ、このバラ硬貨一括収納箱１９８に収納されるようになる。一方、任意一時保留部１４２の第１保留領域にバラ硬貨が一時的に保留されている状態から第２駆動機構１４７により底部材１４６が第１位置から第２位置に移動させられると、任意一時保留部１４２の第１保留領域の底部に設けられた開口が開くことによりこの第１保留領域からバラ硬貨が自重により落下して排出部１５０に送られ、当該排出部１５０に集積されるようになる。また、第１駆動機構１４５によって、任意一時保留部１４２を、その第２保留領域が任意選別部１３４の分岐孔の真下に位置するような第３位置に移動させることができるようになっている。ここで、任意一時保留部１４２が第３位置に位置しているときには、任意選別部１３４の分岐孔に落とし込まれたバラ硬貨は任意一時保留部１４２の第２保留領域に送られた後、この第２保留領域を通過してシュート機構１７０の上部シュート１７２（後述）に送られるようになっている。
【００５７】
図４等に示すように、複数の収納繰出部１５２の各々は、それぞれ、５円、１円、５０円、１００円、１０円、５００円の各金種に対応する収納領域１５２ａ、１５２ｂ、１５２ｃ、１５２ｄ、１５２ｅ、１５２ｆを有しており、これらの収納領域１５２ａ〜１５２ｆにバラ硬貨が金種別に収納されるようになっている。より詳細には、各収納繰出部１５２の収納領域１５２ａ〜１５２ｆには、入金一時保留部１４０の金種別一時保留部１４４の各保留領域１４４ａ〜１４４ｆからバラ硬貨がそれぞれ送られるようになっている。また、各収納繰出部１５２において収納領域１５２ａ〜１５２ｆの底部には回転円盤等の硬貨繰出部１５２ｐがそれぞれ設けられており、各硬貨繰出部１５２ｐにより各収納繰出部１５２の収納領域１５２ａ〜１５２ｆからバラ硬貨が１枚ずつ繰り出されるようになっている。また、各収納繰出部１５２の下方には水平方向に延びるコンベア１５４が設けられており、各硬貨繰出部１５２ｐにより各収納繰出部１５２の収納領域１５２ａ〜１５２ｆから繰り出されたバラ硬貨はコンベア１５４により搬送されるようになっている。ここで、コンベア１５４には、当該コンベア１５４により搬送されるバラ硬貨の金種、真偽、正損、新旧、表裏、搬送状態等の識別を行う出金識別部１５５が設けられている。出金識別部１５５によるバラ硬貨の識別情報は後述する制御部３００に送られるようになっている。また、出金識別部１５５により識別されたバラ硬貨はコンベア１５４により出金用シュート１５８を介して出金箱１９０に送られるか、あるいは包装用シュート１５７を介して包装部１６０に送られるようになっている。
【００５８】
排出部１５０は、筐体１１２の前面から操作者が手前側に引き出し可能な返却箱１５０ａを有しており、入金一時保留部１４０における任意一時保留部１４２の第１保留領域や金種別一時保留部１４４の各保留領域１４４ａ〜１４４ｆから送られたバラ硬貨が金種混合状態で返却箱１５０ａに集積されるようになっている。
【００５９】
バラ硬貨一括収納箱１９８は、筐体１１２の前面から操作者が手前側に引き出し可能となっており、入金一時保留部１４０における任意一時保留部１４２の第１保留領域から送られたバラ硬貨が集積されるようになっている。
【００６０】
図４に示すように、シュート機構１７０は、入金一時保留部１４０における任意一時保留部１４２の第２保留領域から送られたバラ硬貨が通過する上部シュート１７２と、この上部シュート１７２から分岐した貯留用シュート１７４および包装用シュート１７６とを有しており、上部シュート１７２から貯留用シュート１７４や包装用シュート１７６への分岐箇所には分岐部材１７８が設けられている。ここで、上部シュート１７２から分岐部材１７８により包装用シュート１７６に分岐させられたバラ硬貨は包装部１６０に送られるようになっている。一方、図４に示すように、貯留用シュート１７４の下流側端部に位置する排出側開口１７４ａは筐体１１２の前面に開口するようになっており、この排出側開口１７４ａの近傍には、図４において二点鎖線で示すような貯留袋１７５を筐体１１２の前面に装着させる袋装着部（図示せず）が設けられている。そして、袋装着部に貯留袋１７５が装着されているときには、上部シュート１７２から分岐部材１７８により貯留用シュート１７４に分岐させられたバラ硬貨は排出側開口１７４ａから貯留袋１７５に送られてこの貯留袋１７５に貯留されるようになる。
【００６１】
出金箱１９０は、筐体１１２の前面から操作者が手前側に引き出し可能となっており、本実施の形態による硬貨入出金装置１１０においてバラ硬貨の出金処理が行われる際に、各収納繰出部１５２の収納領域１５２ａ〜１５２ｆから繰り出されたバラ硬貨がコンベア１５４により出金用シュート１５８を介して出金箱１９０に送られるようになっている。また、出金箱１９０には、操作者が当該出金箱１９０を筐体１１２の前面から手前側に引き出す際に把持される取っ手１９０ａが設けられており、このような取っ手１９０ａを操作者が把持することにより出金箱１９０を筐体１１２から容易に引き出すことができるようになっている。また、出金箱１９０には図示しないロック機構が設けられており、このロック機構により出金箱１９０は筐体１１２の内部にロックされるようになっている。一方、ロック機構によるロックが解除されると、操作者は出金箱１９０を筐体１１２の前面から手前側に引き出すことができるようになる。また、図３および図４に示すように、出金箱１９０の底部には開口が設けられているとともに、この開口はシャッタ部材１９２により選択的に閉じられるようになっている。また、筐体１１２の下部には、出金リジェクト箱１５６と、出金箱１９０の底部に設けられた開口から出金リジェクト箱１５６にバラ硬貨を送る出金リジェクト用シュート１９４がそれぞれ設けられている。そして、本実施の形態による硬貨入出金装置１１０においてバラ硬貨の出金処理が行われる際に、出金されるべきバラ硬貨の金種とは異なる金種のバラ硬貨が収納繰出部１５２の各収納領域１５２ａ〜１５２ｆから繰り出されて出金箱１９０に送られたり、収納繰出部１５２の各収納領域１５２ａ〜１５２ｆからのバラ硬貨の繰り出しエラーによって各収納領域１５２ａ〜１５２ｆから繰り出されたバラ硬貨の枚数が不確定となってしまったりした場合には、出金箱１９０の底部に設けられた開口がシャッタ部材１９２により開かれ、出金箱１９０に送られたバラ硬貨はこの出金箱１９０から出金リジェクト用シュート１９４を介して出金リジェクト箱１５６に送られるようになる。
【００６２】
包装部１６０は、シュート機構１７０の包装用シュート１７６や包装用シュート１５７により当該包装部１６０に送られたバラ硬貨が集積されるとともに集積されたバラ硬貨を１枚ずつ繰り出す集積部としての回転円盤１６２と、回転円盤１６２により繰り出されたバラ硬貨を搬送するコンベア１６３と、コンベア１６３により搬送されたバラ硬貨が積層状態で集積されるとともに集積された所定の枚数（例えば、５０枚）のバラ硬貨を紙やフィルム等の包装媒体により包装する包装機構１６８とを有している。ここで、包装機構１６８は上方から見て仮想の正三角形の各頂点に位置する３本の包装ローラ１６８ａを有しており、各包装ローラ１６８ａの間の包装領域において所定枚数重積した重積硬貨が包装媒体により包装されることにより包装硬貨が作成されるようになっている。図５に示すように、包装機構１６８により作成された包装硬貨はこの包装機構１６８から下方に排出されるようになっている。また、包装機構１６８の下方には包装硬貨用シュート１６５および横搬送部１６７が設けられており、包装機構１６８により作成された包装硬貨が当該包装機構１６８から下方に排出されると、この排出された包装硬貨は包装硬貨用シュート１６５を通って横搬送部１６７に送られ、この横搬送部１６７により包装硬貨搬送ユニット２１０に向かって搬送されるようになる。また、横搬送部１６７と包装硬貨搬送ユニット２１０との間には、横搬送部１６７から包装硬貨搬送ユニット２１０への包装硬貨の放出と放出規制とを切り換える切換部材１６９が設けられている。
【００６３】
また、図３等に示すように、包装部１６０においてコンベア１６３の下方には排出シュート１６４が設けられており、包装機構１６８により所定の枚数（例えば、５０枚）のバラ硬貨を包装する際に所定の枚数に満たない端数分のバラ硬貨はコンベア１６３から排出シュート１６４に送られてこの排出シュート１６４により出金リジェクト箱１５６に送られるようになっている。また、出金リジェクト箱１５６の近傍には、端数分のバラ硬貨を収納する端数硬貨収納箱１９７が設けられているとともに、この出金リジェクト箱１５６には、排出シュート１６４から送られた端数分のバラ硬貨を出金リジェクト箱１５６および端数硬貨収納箱１９７の何れかに分岐させる分岐部材１９６が設けられている。このような分岐部材１９６が設けられていることにより、コンベア１６３から排出シュート１６４に送られた端数分のバラ硬貨を出金リジェクト箱１５６および端数硬貨収納箱１９７のうち何れかに収納させることができるようになる。
【００６４】
図５に示すように、包装硬貨搬送ユニット２１０は、筐体１１２の内部における上部および下部にそれぞれ設けられた２つのプーリ２１２と、これらの２つのプーリ２１２に掛け渡された無端状の循環ベルト２１４と、２つのプーリ２１２のうち一方のプーリ２１２を回転駆動させることにより循環ベルト２１４を図５における時計回りの方向および反時計回りの方向に循環移動させる駆動モータ（図示せず）とを有している。また、図５に示すように、循環ベルト２１４には、包装硬貨搬送ユニット２１０により搬送されるべき包装硬貨が引っ掛けられる突起２１６が等間隔で複数設けられている。ここで、各突起２１６は、当該突起２１６と包装硬貨とが接する面が循環ベルト２１４の延びる方向（すなわち、図５における上下方向）に対して所定の角度（例えば、６０°）をなして傾斜する方向に当該循環ベルト２１４から突出して形成されている。このように各突起２１６が循環ベルト２１４の延びる方向に対して傾斜していることにより、突起２１６に引っ掛けられた包装硬貨はその自重により突起２１６上で循環ベルト２１４側に寄せられるようになる。そして、循環ベルト２１４が図５における反時計回りの方向に循環移動すると、包装硬貨は突起２１６に引っ掛けられた状態で（すなわち、突起２１６上で循環ベルト２１４側に寄せられた状態で）循環ベルト２１４の移動に合わせて図５における反時計回りの方向に沿って搬送されるようになる。また、本実施の形態では、循環ベルト２１４は、所定量だけ移動すると所定時間だけ停止し、その後再び所定量だけ移動するような動作が繰り返し行われる間欠移動を行うよう、駆動モータにより駆動させられるようになっている。
【００６５】
また、図５に示すように、筐体１１２の内部において包装硬貨搬送ユニット２１０の近傍には、包装硬貨の収納を行う包装硬貨収納ユニット２００が設けられている。ここで、包装硬貨収納ユニット２００は、同一金種の複数の包装硬貨を一列に収納する複数（図５に示す例では６つ）の収納トレイ２４０を有しており、各収納トレイ２４０には包装硬貨が金種別に収納されるようになっている。ここで、各収納トレイ２４０は水平方向に対して傾斜しており、収納トレイ２４０に収納されている包装硬貨は、包装硬貨搬送ユニット２１０に近い側である収納トレイ２４０の最前部に向かって転がるようになっている。また、各収納トレイ２４０は鉛直方向に沿って並ぶよう配置されている。また、各収納トレイ２４０に収納される包装硬貨の金種は収納トレイ２４０毎に予め設定されている。
【００６６】
また、各収納トレイ２４０は、図５に示す位置から包装硬貨搬送ユニット２１０に向かって（すなわち、図５における左方向に）移動可能となっており、各収納トレイ２４０が包装硬貨搬送ユニット２１０における循環ベルト２１４の近傍の位置まで進出したときに、各収納トレイ２４０に収納されている包装硬貨が循環ベルト２１４の突起２１６に１つずつ受け渡されるようになる。また、各収納トレイ２４０の前端部分（すなわち、図５における左端部分）と、包装硬貨搬送ユニット２１０との間には、各収納トレイ２４０に対応して複数のストッパ部分２０４ａが設けられたストッパ機構２０４が上下方向に移動可能に配置されている。このストッパ機構２０４が下降位置にあるときには、包装硬貨搬送ユニット２１０に向かって進出した収納トレイ２４０の最前部の包装硬貨にストッパ部分２０４ａが接触してこの最前部の包装硬貨が循環ベルト２１４の突起２１６に受け渡されないようになる。この場合には、循環ベルト２１４により搬送される包装硬貨が突起２１６から収納トレイ２４０の最前部に受け渡され、この収納トレイ２４０に収納されるようになる。一方、ストッパ機構２０４が上昇位置にあるときには、包装硬貨搬送ユニット２１０に向かって進出した収納トレイ２４０の最前部の包装硬貨にストッパ部分２０４ａが接触せず、この最前部の包装硬貨が循環ベルト２１４の突起２１６に受け渡されるようになる。
【００６７】
また、筐体１１２の前面において包装硬貨搬送ユニット２１０の前部域には、包装硬貨出金部２３０、包装硬貨一括収納箱２３２および包装硬貨投出部２３６がそれぞれ設けられている。また、包装硬貨出金部２３０、包装硬貨一括収納箱２３２および包装硬貨投出部２３６の各々に対応して、包装硬貨搬送ユニット２１０の循環ベルト２１４により搬送される包装硬貨を選択的に包装硬貨出金部２３０、包装硬貨一括収納箱２３２および包装硬貨投出部２３６にそれぞれ分岐させる分岐部材２１８、２１９、２２０が鉛直方向における上から順に設けられている。また、分岐部材２２０により包装硬貨搬送ユニット２１０から分岐させられた包装硬貨を包装硬貨投出部２３６に送る包装硬貨投出用シュート２３８が設けられている。ここで、図１に示すように、操作者は筐体１１２の前面から包装硬貨出金部２３０にアクセス可能となっており、分岐部材２１８により包装硬貨搬送ユニット２１０から分岐させられて包装硬貨出金部２３０に送られた包装硬貨を操作者は筐体１１２の外部に取り出すことができるようになっている。また、分岐部材２１９により包装硬貨搬送ユニット２１０から分岐させられて包装硬貨一括収納箱２３２に送られた包装硬貨は当該包装硬貨一括収納箱２３２に収納されるようになっている。なお、操作者は包装硬貨一括収納箱２３２を筐体１１２の外部に取り出すことによりこの包装硬貨一括収納箱２３２から包装硬貨を回収することができるようになる。また、図１に示すように、操作者は筐体１１２の前面から包装硬貨投出部２３６にアクセス可能となっており、分岐部材２２０により包装硬貨搬送ユニット２１０の循環ベルト２１４から分岐させられて包装硬貨投出用シュート２３８により包装硬貨投出部２３６に送られた包装硬貨を操作者は筐体１１２の外部に取り出すことができるようになっている（具体的には、包装硬貨投出部２３６の下方に箱状の容器を置いて、投出される包装硬貨をこの容器で受け入れるようになっている）。また、循環ベルト２１４を図５における時計回りの方向に循環移動させた場合には、横搬送部１６７により包装硬貨搬送ユニット２１０に送られた包装硬貨をすぐに包装硬貨投出用シュート２３８経由で包装硬貨投出部２３６に送ることができるようになる。
【００６８】
また、図１に示すように、筐体１１２の前面側における右側部分には開閉可能な前扉１１４が設けられており、当該前扉１１４を開くことにより筐体１１２内の包装硬貨収納ユニット２００にアクセスすることができるようになっている。より詳細には、前扉１１４には上述した包装硬貨出金部２３０、包装硬貨一括収納箱２３２、包装硬貨投出部２３６および包装硬貨搬送ユニット２１０が取り付けられており、前扉１１４を開いたときにはこれらの包装硬貨出金部２３０、包装硬貨一括収納箱２３２、包装硬貨投出部２３６および包装硬貨搬送ユニット２１０も前扉１１４と一体的に移動するようになっている。このことにより、操作者は前扉１１４を開くと包装硬貨収納ユニット２００にアクセスして収納トレイ２４０を取り出すことにより収納トレイ２４０に包装硬貨を収納したり収納トレイ２４０から包装硬貨を取り出したりすることができるようになっている。
【００６９】
また、図１に示すように、筐体１１２の前面側における左側部分にも開閉可能な前扉１１５が設けられている。また、筐体１１２の内部において前扉１１５の裏側には複数の引出ユニットが設けられており、操作者は前扉１１５を開くことにより各引出ユニットを筐体１１２の手前側に引き出すことができるようになっている。また、各引出ユニットにはロック機構２５０（図８参照）が設けられており、当該ロック機構２５０は対応する引出ユニットを筐体１１２の内部にロックするようになっている。
【００７０】
また、本実施の形態の貨幣入出金機１には、当該貨幣入出金機１の各構成部材の制御を行う制御部３００が設けられている。より詳細には、図８に示すように、制御部３００には、紙幣入出金装置１０の投入部１４、繰出部１６、搬送部１８、識別部２０、表裏反転部２２、入金一時保留部３０（具体的には、入金一時保留部３０に設けられたステージ３０ａの駆動機構（図示せず）や紙幣繰出繰入部３０ｂ）、混合バラ紙幣収納部３２（具体的には、混合バラ紙幣収納部３２に設けられたステージ３２ａの駆動機構（図示せず）や紙幣繰入部３２ｂ）、各金種別バラ紙幣収納部３４（具体的には、各金種別バラ紙幣収納部３４に設けられたステージ３４ａの駆動機構（図示せず）や紙幣繰出繰入部３４ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、引出ユニット１３に設けられたロック機構５０、各シャッター２４ａ、４８ａを開閉させるシャッター駆動部２４ｂ、４８ｂ等がそれぞれ接続されている。そして、識別部２０によるバラ紙幣の識別結果に係る情報や判別部６２による帯封紙幣の金種の判別結果に係る情報等が制御部３００に送られるとともに、制御部３００は紙幣入出金装置１０の各構成部材に指令信号を送ることによりこれらの構成部材の動作を制御するようになっている。
【００７１】
また、図８に示すように、制御部３００には、硬貨入出金装置１１０の入金繰出部１２０、入金搬送部１２８、入金識別部１２９、各選別部１３０、１３４、１３６、入金一時保留部１４０、各収納繰出部１５２、コンベア１５４、出金識別部１５５、包装部１６０、包装硬貨収納ユニット２００、包装硬貨搬送ユニット２１０、各分岐部材２１８、２１９、２２０、ロック機構２５０等がそれぞれ接続されている。ここで、入金識別部１２９や出金識別部１５５によるバラ硬貨の識別結果に係る情報はこれらの入金識別部１２９や出金識別部１５５から制御部３００に送られるようになっている。また、制御部３００は、硬貨入出金装置１１０の各構成部材に指令の信号を送ることによりこれらの構成部材の動作を制御するようになっている。
【００７２】
また、図８に示すように、制御部３００には、操作表示部３０２、印字部３０４、記憶部３０６および通信インターフェース部３０８がそれぞれ接続されている。図１に示すように、操作表示部３０２は、例えば硬貨入出金装置１１０の筐体１１２の上部に設けられたタッチパネル等からなり、紙幣入出金装置１０や硬貨入出金装置１１０における紙幣や硬貨の処理状況や、紙幣入出金装置１０や硬貨入出金装置１１０に収納されている紙幣や硬貨の在高等の情報を表示するようになっている。また、操作者はこの操作表示部３０２により制御部３００に様々な指令を入力することができるようになっている。また、図１に示すように、印字部３０４は、紙幣入出金装置１０や硬貨入出金装置１１０における紙幣や硬貨の処理状況や、紙幣入出金装置１０や硬貨入出金装置１１０に収納されている紙幣や硬貨の在高等の情報をレシート等に印刷するプリンタ等から構成されている。また、記憶部３０６は、紙幣入出金装置１０や硬貨入出金装置１１０における紙幣や硬貨の処理履歴や、紙幣入出金装置１０や硬貨入出金装置１１０に収納されている紙幣や硬貨の在高等の情報を記憶するようになっている。また、制御部３００は通信インターフェース部３０８を介して上位端末等の外部装置３１０に対して様々な信号の送受信を行うことができるようになっている。
【００７３】
次に、本実施の形態による貨幣入出金機１の動作について説明する。本実施の形態による貨幣入出金機１では、紙幣入出金装置１０や硬貨入出金装置１１０において、筐体１２、１１２の内部に投入されたバラ紙幣やバラ硬貨を帯封部４２や包装部１６０により帯封または包装することにより帯封紙幣や包装硬貨を作成し、この作成された帯封紙幣や包装硬貨を筐体１２、１１２の外部に投出するような整理処理を行うことができるようになっている。このような紙幣入出金装置１０や硬貨入出金装置１１０により行われる整理処理の詳細について図９乃至図１１を用いて説明する。なお、図９（ａ）〜図９（ｃ）は、それぞれ、紙幣入出金装置１０において整理処理が行われる際に記憶部３０６に記憶される帯封対象の紙幣の金種を示す表である。図１０（ａ）（ｂ）は、紙幣入出金装置１０において整理処理が行われるときのバラ紙幣や帯封紙幣の搬送経路を順に示す図であり、図１１は、紙幣入出金装置１０において整理処理が行われるときに操作表示部３０２に表示される画面を示す図である。また、以下に示すような整理処理に係る動作は制御部３００が紙幣入出金装置１０や硬貨入出金装置１１０の各構成部材を制御することにより行われるようになっている。
【００７４】
紙幣入出金装置１０において整理処理を行おうとする操作者が操作表示部３０２により操作者ＩＤの入力を行うと、操作表示部３０２にはメニュー画面が表示されるようになる。そして、操作表示部３０２のメニュー画面において操作者が紙幣の整理処理開始の指令を制御部３００に与えた後、投入部１４に複数のバラ紙幣を積層状態で投入すると、投入部１４に投入されたバラ紙幣は１枚ずつ繰出部１６により筐体１２の内部に繰り出され、この繰り出されたバラ紙幣は搬送部１８により識別部２０に搬送される。そして、識別部２０によりバラ紙幣の金種、真偽、表裏、正損、新旧、搬送状態等が識別された後、表裏反転部２２によりその表裏が揃うように反転させられる。
【００７５】
その後、識別部２０により正常な紙幣であると識別されたバラ紙幣は搬送部１８により整理一時保留部４０に送られ、この整理一時保留部４０に集積される。一方、識別部２０により正常ではないと識別されたバラ紙幣や識別部２０により識別することができなかったバラ紙幣はリジェクト紙幣としてバラ紙幣投出部２４に送られる。また、バラ紙幣投出部２４にバラ紙幣が存在することが図示しない検知センサにより検知されると、このバラ紙幣投出部２４に設けられたシャッター２４ａが開くようになる。このことにより、操作者はバラ紙幣投出部２４からリジェクト紙幣を取り出して投入部１４に再投入等することができるようになる。
【００７６】
そして、整理一時保留部４０に所定枚数（例えば、１００枚）のバラ紙幣が集積されると、整理一時保留部４０に集積された所定枚数のバラ紙幣からなる紙幣束がアーム機構４４により帯封部４２に搬送され、帯封部４２においてアーム機構４４の上下一対のアーム部により挟持された状態にある紙幣束の外周面に帯封紙が巻かれることにより帯封紙幣が作成される。その後、帯封部４２により作成された帯封紙幣はアーム機構４４により帯封紙幣揚送部４６に搬送され、この帯封紙幣揚送部４６のステージ４６ａ上に受け渡される。そして、アーム機構４４からステージ４６ａ上に１または複数の帯封紙幣が受け渡された後、ステージ４６ａが図２における上方向に移動することにより帯封紙幣投出部４８と同じ高さレベルに到達し、シャッター４８ａが開くと、操作者は帯封紙幣投出部４８の内部にアクセスしてステージ４６ａ上に集積されている帯封紙幣を筐体１２の外部に取り出すことができるようになる。
【００７７】
また、本実施の形態では、整理一時保留部４０の数が２つであるため、紙幣入出金装置１０において紙幣の整理処理が行われる際に３種類以上の金種のバラ紙幣が投入部１４に投入された場合には、２つの金種のバラ紙幣については識別部２０により識別した後に搬送部１８により各整理一時保留部４０に金種毎に送る一方、その他の金種のバラ紙幣については入金一時保留部３０に一旦送り、整理一時保留部４０に送られたバラ紙幣が帯封部４２により帯封されてこの整理一時保留部４０が空状態となった後に、入金一時保留部３０から整理一時保留部４０にバラ紙幣を送るようになっている。このような動作の詳細について以下に説明する。
【００７８】
紙幣入出金装置１０において紙幣の整理処理が行われる際に、上述したように、投入部１４に投入されたバラ紙幣が筐体１２の内部に繰り出されて識別部２０により識別されるようになっているが、制御部３００において、識別部２０により識別された最初の金種のバラ紙幣における当該金種が第１金種として設定され、識別部２０により識別された２番目の金種のバラ紙幣における当該金種が第２金種として設定され、識別部２０により識別された３番目以降の金種のバラ紙幣における当該金種が第３金種以降として設定されるようになっている。制御部３００において設定された、帯封対象の紙幣の金種の情報は記憶部３０６に記憶されるようになっている。具体的には、紙幣入出金装置１０において紙幣の整理処理が行われる際に、投入部１４に一万円紙幣、千円紙幣、五千円紙幣および二千円紙幣が混合状態で投入された場合において、識別部２０により最初に識別されたバラ紙幣の金種が一万円であり、識別部２０により２番目に識別されたバラ紙幣の金種が千円であり、識別部２０により３番目に識別されたバラ紙幣の金種が五千円であり、識別部２０により４番目に識別されたバラ紙幣の金種が二千円である場合には、図９（ａ）の表に示すような情報が帯封対象の紙幣の金種の情報として記憶部３０６に記憶されるようになる。なお、図９（ａ）において、Ｎｏ．１〜Ｎｏ．４はそれぞれ上述した第１金種〜第４金種を示している。
【００７９】
本実施の形態による紙幣入出金装置１０では整理一時保留部４０の数が２つであるため、投入部１４に投入されたバラ紙幣が筐体１２の内部に繰り出されて識別部２０により識別されたときに、識別部２０により識別されたバラ紙幣の金種が第１金種（具体的には、一万円）である場合には当該バラ紙幣は搬送部１８により上側の整理一時保留部４０に搬送され、また、識別部２０により識別されたバラ紙幣の金種が第２金種（具体的には、千円）である場合には当該バラ紙幣は搬送部１８により下側の整理一時保留部４０に搬送される。また、上側の整理一時保留部４０または下側の整理一時保留部４０に所定枚数（例えば、１００枚）のバラ紙幣が集積されると、整理一時保留部４０に集積された所定枚数のバラ紙幣からなる紙幣束がアーム機構４４により帯封部４２に搬送され、帯封部４２により帯封紙幣が作成される。その後、帯封部４２により作成された帯封紙幣は帯封紙幣投出部４８により筐体１２の外部に投出される。整理一時保留部４０から所定枚数のバラ紙幣が取り出された後、帯封部４２により帯封紙幣が生成されている間にも、後続の第１金種あるいは第２金種のバラ紙幣は対応する整理一時保留部４０へ搬送される。一方、投入部１４に投入されたバラ紙幣が筐体１２の内部に繰り出されて識別部２０により識別されたときに、識別部２０により識別されたバラ紙幣の金種が第３金種（具体的には、五千円）または第４金種（具体的には、二千円）である場合には当該バラ紙幣は搬送部１８により入金一時保留部３０に搬送され、この入金一時保留部３０に混合状態で保留されるようになる。紙幣入出金装置１０においてこのような１回目の整理処理が行われるときのバラ紙幣や帯封紙幣の搬送経路を図１０（ａ）に示す。なお、１回目の整理処理が行われる際に、識別部２０により正常ではないと識別されたバラ紙幣や識別部２０により識別することができなかったバラ紙幣はリジェクト紙幣としてバラ紙幣投出部２４に送られる。
【００８０】
投入部１４に投入されたバラ紙幣が全て筐体１２の内部に繰り出され、投入部１４にバラ紙幣が存在しなくなると、紙幣入出金装置１０の動作が一旦停止する。そして、投入部１４にバラ紙幣が追加投入されると、上述した１回目の整理処理が再び行われるようになる。
【００８１】
また、紙幣入出金装置１０において上述した１回目の整理処理が行われた後、整理一時保留部４０に端数（具体的には、１００枚未満）のバラ紙幣が残存している場合には、この整理一時保留部４０から端数分のバラ紙幣が回収される。具体的には、整理一時保留部４０に端数分のバラ紙幣が残存している場合には、この情報が操作表示部３０２に表示されるとともに、整理一時保留部４０から端数分のバラ紙幣を取り出すことを操作者に促すメッセージが操作表示部３０２に表示されるようになる。そして、操作者は筐体１２から紙幣入出金装置１０の本体部分を手前側に引き出すことにより各整理一時保留部４０から端数分のバラ紙幣を手動で取り出す。また、各整理一時保留部４０に繰出部が設けられている場合には、各整理一時保留部４０に集積されている端数分のバラ紙幣を繰出部により搬送部１８に繰り出し、この繰り出されたバラ紙幣を搬送部１８によりバラ紙幣投出部２４に送る。バラ紙幣投出部２４にバラ紙幣が送られるとシャッター２４ａが開くようになり、操作者はバラ紙幣投出部２４から端数分のバラ紙幣を取り出すことができるようになる。このようにして、各整理一時保留部４０が空状態になる。
【００８２】
各整理一時保留部４０が空状態になると、紙幣入出金装置１０において２回目の整理処理が開始されるようになる。具体的には、入金一時保留部３０に保留されているバラ紙幣が当該入金一時保留部３０から搬送部１８に繰り出され、この繰り出されたバラ紙幣は搬送部１８により識別部２０に送られることによって当該識別部２０により識別される。そして、識別部２０により識別されたバラ紙幣の金種が第３金種（具体的には、五千円）である場合には当該バラ紙幣は搬送部１８により上側の整理一時保留部４０に搬送され、また、識別部２０により識別されたバラ紙幣の金種が第４金種（具体的には、二千円）である場合には当該バラ紙幣は搬送部１８により下側の整理一時保留部４０に搬送される。また、上側の整理一時保留部４０または下側の整理一時保留部４０に所定枚数（例えば、１００枚）のバラ紙幣が集積されると、整理一時保留部４０に集積された所定枚数のバラ紙幣からなる紙幣束がアーム機構４４により帯封部４２に搬送され、帯封部４２により帯封紙幣が作成される。その後、帯封部４２により作成された帯封紙幣は帯封紙幣投出部４８により筐体１２の外部に投出される。整理一時保留部４０から所定枚数のバラ紙幣が取り出された後、帯封部４２により帯封紙幣が生成されている間にも、後続の第３金種あるいは第４金種のバラ紙幣は対応する整理一時保留部４０へ搬送される。紙幣入出金装置１０においてこのような２回目の整理処理が行われるときのバラ紙幣や帯封紙幣の搬送経路を図１０（ｂ）に示す。なお、２回目の整理処理が行われる際に、識別部２０により正常ではないと識別されたバラ紙幣や識別部２０により識別することができなかったバラ紙幣はリジェクト紙幣としてバラ紙幣投出部２４に送られる。
【００８３】
また、紙幣入出金装置１０において上述した２回目の整理処理が行われた後、整理一時保留部４０に端数（具体的には、１００枚未満）のバラ紙幣が残存している場合には、この整理一時保留部４０から端数分のバラ紙幣が回収される。なお、２回目の整理処理において端数分のバラ紙幣を整理一時保留部４０から回収する方法は、上述した１回目の整理処理において端数分のバラ紙幣を整理一時保留部４０から回収する方法と同じとなっている。
【００８４】
そして、全てのバラ紙幣の帯封、返却または回収が行われると、図１１に示すような整理処理の処理結果が操作表示部３０２に表示される。図１１に示すような操作表示部３０２の画面には、各金種についての帯封紙幣の束数や金額、および全ての金種の帯封紙幣の合計金額等の情報が表示されるようになる。また、図１１に示すような操作表示部３０２の画面において操作者が「完了」ボタンを押下すると、紙幣の整理処理の結果に係る明細書が印字部３０４によりレシートに印字され、紙幣入出金装置１０における一連の整理処理が完了する。
【００８５】
なお、本実施の形態の紙幣入出金装置１０では、上述した整理処理が行われる際に、１回目または２回目の整理処理が行われた後に整理一時保留部４０に端数（具体的には、１００枚未満）のバラ紙幣が残存している場合に、アーム機構４４により整理一時保留部４０から端数分のバラ紙幣の束が取り出され、この取り出された端数分のバラ紙幣の束がアーム機構４４により帯封紙幣揚送部４６のステージ４６ａ上に受け渡されるようになっていてもよい。この場合には、ステージ４６ａ上に既に載置されている帯封紙幣の上に端数分のバラ紙幣の束が載置されるようになる。このことにより、操作者は帯封紙幣投出部４８から端数分のバラ紙幣も取り出すことができるようになる。また、この場合には、操作表示部３０２に図１１に示すような整理処理の処理結果が表示されるときに、帯封紙幣投出部４８から投出される端数分のバラ紙幣の金種毎の枚数や金額に係る情報が操作表示部３０２に表示されるようになっていてもよい。
【００８６】
また、上述した整理処理が行われる際に、１回目または２回目の整理処理が行われた後に整理一時保留部４０に端数（具体的には、１００枚未満）のバラ紙幣が残存している場合に、アーム機構４４により整理一時保留部４０から端数分のバラ紙幣の束が取り出され、この取り出された端数分のバラ紙幣の束が帯封部４２により帯封されるようになっていてもよい。また、帯封部４２の近傍に、バラ紙幣を帯封するための帯封紙に印字を行う印字機構が設けられており、端数分のバラ紙幣の束が帯封部４２により帯封される際に、この端数分のバラ紙幣の束に巻かれるべき帯封紙に、端数分のバラ紙幣であることを示す旨の文字が印字機構により印字されるようになっていてもよい。
【００８７】
また、上述した整理処理が行われる際に、１回目の整理処理が行われた後に入金一時保留部３０に保留されているある金種のバラ紙幣の枚数（具体的には、第３金種のバラ紙幣の枚数や第４金種のバラ紙幣の枚数）が、帯封部４２により帯封されるべきバラ紙幣の所定の枚数（具体的には、１００枚）に満たないことが判明している場合には、２回目の整理処理において入金一時保留部３０から搬送部１８に繰り出された当該金種のバラ紙幣（すなわち、１００枚未満の端数分のバラ紙幣）を搬送部１８によりバラ紙幣投出部２４に直接送るようにしてもよい。この場合には、２回目の整理処理において整理一時保留部４０に端数分のバラ紙幣が集積されてしまうことを防止することができるようになる。
【００８８】
また、上記の説明では、紙幣入出金装置１０において整理処理が行われる際に各金種のバラ紙幣が識別部２０により識別された順番に基づいて帯封対象の紙幣の金種が第１金種〜第４金種として記憶部３０６に記憶されるような態様について述べたが、本実施の形態による整理処理はこのような方法に限定されることはない。紙幣入出金装置１０における他の整理処理の方法として、操作者が操作表示部３０２により帯封対象の紙幣の金種を設定し、この設定された情報が帯封対象の紙幣の金種の情報として記憶部３０６に記憶されるようになっていてもよい。このような態様について以下に説明する。
【００８９】
紙幣入出金装置１０において整理処理を行うにあたり、整理処理が行われるバラ紙幣において例えば特定の金種のバラ紙幣の占める割合が大きい場合には、１回目の整理処理が行われる際にこの特定の金種のバラ紙幣が上側の整理一時保留部４０および下側の整理一時保留部４０にそれぞれ送られるよう第１金種および第２金種をこのバラ紙幣の金種に設定する。また、それ以外の金種のバラ紙幣については２回目の整理処理で帯封されるよう、第３金種および第４金種を設定する。図９（ｂ）は、整理処理が行われるバラ紙幣において一万円紙幣の占める割合が大きい場合に、操作者が操作表示部３０２により帯封対象の紙幣の第１金種および第２金種としてそれぞれ一万円を設定し、また、帯封対象の紙幣の第３金種として千円を設定するとともに第４金種として五千円を設定したときに記憶部３０６に記憶される帯封対象の紙幣の金種の情報を示す表である。
【００９０】
操作者が操作表示部３０２により帯封対象の紙幣の金種を設定し、図９（ｂ）に示すような帯封対象の紙幣の金種の情報が記憶部３０６に記憶されると、１回目の整理処理において、投入部１４に投入されたバラ紙幣が筐体１２の内部に繰り出されて識別部２０により識別されたときに、識別部２０により識別されたバラ紙幣の金種が一万円である場合には当該バラ紙幣は搬送部１８により上側の整理一時保留部４０または下側の整理一時保留部４０に搬送され、これらの整理一時保留部４０に集積される。また、上側の整理一時保留部４０または下側の整理一時保留部４０に所定枚数（例えば、１００枚）のバラ紙幣が集積されると、整理一時保留部４０に集積された所定枚数のバラ紙幣からなる紙幣束がアーム機構４４により帯封部４２に搬送され、帯封部４２により帯封紙幣が作成される。また、アーム機構４４により紙幣束が一方の整理一時保留部４０から取り出されている間、搬送部１８から他方の整理一時保留部４０にバラ紙幣が送られてこの他方の整理一時保留部４０にバラ紙幣が集積されるようになる。その後、帯封部４２により作成された帯封紙幣は帯封紙幣投出部４８により筐体１２の外部に投出される。２個の整理一時保留部４０を交互に使いながらこのような動作を繰り返すことにより、一万円紙幣の帯封紙幣が生成される。また、識別部２０により識別されたバラ紙幣の金種が千円または五千円である場合には当該バラ紙幣は搬送部１８により入金一時保留部３０に搬送され、この入金一時保留部３０に保留されるようになる。なお、１回目の整理処理が行われる際に、識別部２０により正常ではないと識別されたバラ紙幣や識別部２０により識別することができなかったバラ紙幣はリジェクト紙幣としてバラ紙幣投出部２４に送られる。また、１回目の整理処理が行われる際に、識別部２０により識別されたバラ紙幣の金種が第１金種〜第４金種ではない場合（具体的には、識別部２０により識別されたバラ紙幣の金種が二千円である場合）にもこのバラ紙幣は帯封対象外の紙幣としてバラ紙幣投出部２４に送られる。
【００９１】
そして、各整理一時保留部４０が空状態になると、紙幣入出金装置１０において２回目の整理処理が開始されるようになる。具体的には、入金一時保留部３０に保留されているバラ紙幣が当該入金一時保留部３０から搬送部１８に繰り出され、この繰り出されたバラ紙幣は搬送部１８により識別部２０に送られることによって当該識別部２０により識別される。そして、識別部２０により識別されたバラ紙幣の金種が第３金種（具体的には、千円）である場合には当該バラ紙幣は搬送部１８により上側の整理一時保留部４０に搬送され、また、識別部２０により識別されたバラ紙幣の金種が第４金種（具体的には、五千円円）である場合には当該バラ紙幣は搬送部１８により下側の整理一時保留部４０に搬送される。また、上側の整理一時保留部４０または下側の整理一時保留部４０に所定枚数（例えば、１００枚）のバラ紙幣が集積されると、整理一時保留部４０に集積された所定枚数のバラ紙幣からなる紙幣束がアーム機構４４により帯封部４２に搬送され、帯封部４２により帯封紙幣が作成される。その後、帯封部４２により作成された帯封紙幣は帯封紙幣投出部４８により筐体１２の外部に投出される。このような動作を繰り返すことで、紙幣入出金装置１０における紙幣の整理処理が完了する。
【００９２】
また、本実施の形態では、操作者が操作表示部３０２により帯封対象の紙幣の金種を設定する場合に、紙幣入出金装置１０により３回以上の整理処理を行わせてもよい。具体的には、整理処理が行われるべきバラ紙幣において特定の２つの金種（具体的には、例えば千円および一万円）のバラ紙幣の占める割合が大きい場合には、１回目の整理処理が行われる際に特定の２つの金種のうち一方の金種（例えば、一万円）のバラ紙幣が上側の整理一時保留部４０および下側の整理一時保留部４０にそれぞれ送られるよう第１金種および第２金種を設定する。また、２回目の整理処理が行われる際に特定の２つの金種のうち他方の金種（例えば、千円）のバラ紙幣が上側の整理一時保留部４０および下側の整理一時保留部４０にそれぞれ送られるよう第３金種および第４金種を設定する。また、３回目の整理処理が行われる際に残りの金種（例えば、五千円および二千円）のバラ紙幣が上側の整理一時保留部４０および下側の整理一時保留部４０にそれぞれ送られるよう第５金種および第６金種を設定する。図９（ｃ）は、整理処理が行われるべきバラ紙幣において一万円紙幣および千円紙幣の占める割合が大きい場合に、操作者が操作表示部３０２により帯封対象の紙幣の第１金種および第２金種としてそれぞれ一万円を設定し、また、帯封対象の紙幣の第３金種および第４金種としてそれぞれ千円を設定し、また、帯封対象の紙幣の第５金種として五千円を設定するとともに第６金種として二千円を設定したときに記憶部３０６に記憶される帯封対象の紙幣の金種の情報を示す表である。
【００９３】
このように、操作者が操作表示部３０２により帯封対象の紙幣の金種を設定する場合に、紙幣入出金装置１０において３回以上の整理処理を行わせるときには、５金種以上のバラ紙幣の帯封処理を行うことができるようになる。
【００９４】
また、紙幣入出金装置１０において上述した整理処理が行われる際に、帯封部４２により作成された帯封紙幣が帯封紙幣投出部４８により筐体１２の外部に投出される代わりに各帯封紙幣収納部７０に金種毎に収納されるようになっていてもよい。また、各整理一時保留部４０に繰出部が設けられている場合には、整理一時保留部４０に端数分のバラ紙幣が残存しているときにこの整理一時保留部４０に集積されている端数分のバラ紙幣を繰出部により搬送部１８に繰り出し、繰り出されたバラ紙幣を搬送部１８により各金種別バラ紙幣収納部３４に金種毎に送り、この金種別バラ紙幣収納部３４に収納してもよい。
【００９５】
また、本実施の形態では、図２に示すような整理一時保留部４０が２つ設けられた紙幣入出金装置１０の代わりに、図１２に示すような整理一時保留部４０が１つだけ設けられた紙幣入出金装置１０ａが用いられるようになっていてもよい。なお、図１２に示すような本実施の形態による貨幣入出金機１における別の構成の紙幣入出金装置１０ａを説明するにあたり、図２に示す紙幣入出金装置１０と同じ構成部材については同じ参照符合を付してその説明を省略する。
【００９６】
図１２に示す紙幣入出金装置１０ａでは、整理一時保留部４０が１つしか設けられていないため、１回の整理処理で１金種ずつしかバラ紙幣の帯封処理を行うことができない。ここで、図１３の表に示すように、操作者が操作表示部３０２によって第１金種として一万円を設定し、第２金種として千円を設定した場合には、１回目の整理処理で一万円紙幣の帯封処理を行うとともに２回目の整理処理で千円紙幣の帯封処理を行うことができるようになる。
【００９７】
より詳細には、図１２に示す紙幣入出金装置１０ａにおいて操作者が操作表示部３０２により帯封対象の紙幣の金種を設定し、図１３に示すような帯封対象の紙幣の金種の情報が記憶部３０６に記憶されると、１回目の整理処理において、投入部１４に投入されたバラ紙幣が筐体１２の内部に繰り出されて識別部２０により識別されたときに、識別部２０により識別されたバラ紙幣の金種が一万円である場合には当該バラ紙幣は搬送部１８により整理一時保留部４０に搬送され、この整理一時保留部４０に集積される。また、整理一時保留部４０に所定枚数（例えば、１００枚）のバラ紙幣が集積されると、整理一時保留部４０に集積された所定枚数のバラ紙幣からなる紙幣束がアーム機構４４により帯封部４２に搬送され、帯封部４２により帯封紙幣が作成される。その後、帯封部４２により作成された帯封紙幣は帯封紙幣投出部４８により筐体１２の外部に投出される。また、識別部２０により識別されたバラ紙幣の金種が千円である場合には当該バラ紙幣は搬送部１８により入金一時保留部３０に搬送され、この入金一時保留部３０に保留されるようになる。なお、１回目の整理処理が行われる際に、識別部２０により正常ではないと識別されたバラ紙幣や識別部２０により識別することができなかったバラ紙幣はリジェクト紙幣としてバラ紙幣投出部２４に送られる。また、１回目の整理処理が行われる際に、識別部２０により識別されたバラ紙幣の金種が第１金種や第２金種ではない場合（具体的には、識別部２０により識別されたバラ紙幣の金種が五千円または二千円である場合）にもこのバラ紙幣は帯封対象外の紙幣としてバラ紙幣投出部２４に送られる。
【００９８】
そして、整理一時保留部４０が空状態になると、紙幣入出金装置１０ａにおいて２回目の整理処理が開始されるようになる。具体的には、入金一時保留部３０に保留されているバラ紙幣が当該入金一時保留部３０から搬送部１８に繰り出され、この繰り出されたバラ紙幣は搬送部１８により識別部２０に送られることによって当該識別部２０により識別される。そして、識別部２０により識別されたバラ紙幣の金種が第２金種（具体的には、千円）である場合には当該バラ紙幣は搬送部１８により整理一時保留部４０に搬送され、この整理一時保留部４０に集積される。また、整理一時保留部４０に所定枚数（例えば、１００枚）のバラ紙幣が集積されると、整理一時保留部４０に集積された所定枚数のバラ紙幣からなる紙幣束がアーム機構４４により帯封部４２に搬送され、帯封部４２により帯封紙幣が作成される。その後、帯封部４２により作成された帯封紙幣は帯封紙幣投出部４８により筐体１２の外部に投出される。このようにして紙幣入出金装置１０ａにおける紙幣の整理処理が完了する。
【００９９】
次に、本実施の形態による硬貨入出金装置１１０において、筐体１１２の内部に投入されたバラ硬貨を包装部１６０により包装することにより包装硬貨を作成し、この作成された包装硬貨を筐体１１２の外部に投出するような整理処理を行う際の動作の詳細について説明する。
【０１００】
硬貨入出金装置１１０において整理処理を行おうとする操作者が操作表示部３０２により操作者ＩＤの入力を行うと、操作表示部３０２にはメニュー画面が表示されるようになる。そして、操作表示部３０２のメニュー画面において操作者が硬貨の整理処理開始の指令を制御部３００に与えた後、硬貨投入口１２１に複数のバラ硬貨を投入すると、硬貨投入口１２１に投入されたバラ硬貨は入金繰出部１２０により筐体１１２の内部に繰り出され、この繰り出されたバラ硬貨は入金搬送部１２８により搬送される。また、入金搬送部１２８により搬送されるバラ硬貨は入金識別部１２９によりその金種、真偽、表裏、正損、新旧、搬送状態等が識別される。
【０１０１】
入金識別部１２９により識別されたバラ硬貨の金種が、包装部１６０により包装されるべき金種である場合には、当該バラ硬貨は入金搬送部１２８から任意選別部１３４により選別され、選別されたバラ硬貨はシュート機構１７０により包装部１６０の回転円盤１６２上に送られる。また、入金識別部１２９により識別されたバラ硬貨の金種が、包装部１６０により包装されるべき金種ではない場合には、当該バラ硬貨は入金搬送部１２８から各金種別選別部１３６により金種毎に選別され、選別されたバラ硬貨は入金一時保留部１４０における金種別一時保留部１４４の各保留領域１４４ａ〜１４４ｆに保留される。また、入金識別部１２９により正常ではないと識別されたバラ硬貨や入金識別部１２９により識別することができなかったバラ硬貨はリジェクト硬貨としてリジェクト選別部１３０により選別され、この選別されたリジェクト硬貨は入金リジェクト用シュート１３１を介して入金リジェクト部１３８に送られる。ここで、入金リジェクト部１３８に送られたリジェクト硬貨としてのバラ硬貨を操作者は筐体１１２の前面から取り出すことができるようになる。
【０１０２】
また、包装部１６０の回転円盤１６２上に集積されたバラ硬貨はコンベア１６３により包装機構１６８に送られ、この包装機構１６８において重積状態となっている所定枚数のバラ硬貨が包装媒体により包装される。このことにより包装部１６０において包装硬貨が作成される。包装部１６０により作成された包装硬貨は包装硬貨搬送ユニット２１０により包装硬貨出金部２３０等に送られ、この包装硬貨出金部２３０等により筐体１１２の外部に投出されるようになる。なお、包装部１６０により作成された包装硬貨は包装硬貨搬送ユニット２１０により包装硬貨収納ユニット２００の各収納トレイ２４０に金種毎に送られ、この収納トレイ２４０に収納されるようになっていてもよい。
【０１０３】
また、本実施の形態では、硬貨入出金装置１１０において硬貨の整理処理が行われる際に２種類以上の金種のバラ硬貨が硬貨投入口１２１に投入された場合には、ある特定の金種のバラ硬貨については入金識別部１２９により識別した後に入金搬送部１２８から任意選別部１３４により選別してシュート機構１７０により包装部１６０の回転円盤１６２上に送る一方、その他の金種のバラ硬貨については入金一時保留部１４０における金種別一時保留部１４４の各保留領域１４４ａ〜１４４ｆに一旦送り、包装部１６０の回転円盤１６２上に送られたバラ硬貨が包装機構１６８により包装されてこの回転円盤１６２が空状態となった後、金種別一時保留部１４４の各保留領域１４４ａ〜１４４ｆから包装部１６０の回転円盤１６２上にバラ硬貨を送るようになっている。このような動作の詳細について以下に説明する。
【０１０４】
硬貨入出金装置１１０において硬貨の整理処理が行われる際に、上述したように、硬貨投入口１２１に投入されたバラ硬貨が入金繰出部１２０により筐体１１２の内部に繰り出されて入金識別部１２９により識別されるようになっているが、制御部３００において、入金識別部１２９により識別された最初の金種のバラ硬貨における当該金種が第１金種として設定され、入金識別部１２９により識別された２番目の金種のバラ硬貨における当該金種が第２金種として設定され、入金識別部１２９により識別された３番目以降の金種のバラ硬貨における当該金種が第３金種以降として設定されるようになっている。制御部３００において設定された、包装対象の硬貨の金種の情報は記憶部３０６に記憶されるようになっている。具体的には、硬貨入出金装置１１０において硬貨の整理処理が行われる際に、硬貨投入口１２１に例えば１円硬貨、１０円硬貨、５０円硬貨および１００円硬貨がそれぞれ投入された場合において、入金識別部１２９により最初に識別されたバラ硬貨の金種が１００円硬貨であり、入金識別部１２９により２番目に識別されたバラ硬貨の金種が１０円硬貨であり、入金識別部１２９により３番目に識別されたバラ硬貨の金種が１円硬貨であり、入金識別部１２９により４番目に識別されたバラ硬貨の金種が５円硬貨である場合には、図１４の表に示すような情報が包装対象の硬貨の金種の情報として記憶部３０６に記憶されるようになる。なお、図１４において、Ｎｏ．１〜Ｎｏ．４はそれぞれ上述した第１金種〜第４金種を示している。
【０１０５】
本実施の形態では、硬貨投入口１２１に投入されたバラ硬貨が入金繰出部１２０により筐体１１２の内部に繰り出されて入金識別部１２９により識別されたときに、入金繰出部１２０により識別されたバラ硬貨の金種が第１金種（具体的には、１００円）である場合には当該バラ硬貨は入金搬送部１２８から任意選別部１３４により選別され、選別されたバラ硬貨はシュート機構１７０により包装部１６０の回転円盤１６２上に送られる。また、回転円盤１６２上に集積されたバラ硬貨は包装機構１６８に送られ、この包装機構１６８によって重積状態となっている所定枚数のバラ硬貨が包装媒体により包装される。このことにより包装部１６０において包装硬貨が作成される。その後、包装部１６０により作成された第１金種の包装硬貨は包装硬貨搬送ユニット２１０により包装硬貨出金部２３０等に送られ、この包装硬貨出金部２３０等により筐体１１２の外部に投出される。一方、硬貨投入口１２１に投入されたバラ硬貨が入金繰出部１２０により筐体１１２の内部に繰り出されて入金識別部１２９により識別されたときに、入金繰出部１２０により識別されたバラ硬貨の金種が第２金種〜第４金種のうちいずれかの金種（具体的には、１０円、１円または５円）である場合には、当該バラ硬貨は入金搬送部１２８から各金種別選別部１３６により金種毎に選別され、選別されたバラ硬貨は入金一時保留部１４０における金種別一時保留部１４４の各保留領域１４４ａ〜１４４ｆに保留されるようになる。また、硬貨入出金装置１１０において１回目の整理処理が行われる際に、入金識別部１２９により正常ではないと識別されたバラ硬貨や入金識別部１２９により識別することができなかったバラ硬貨はリジェクト硬貨としてリジェクト選別部１３０により選別され、この選別されたリジェクト硬貨は入金リジェクト用シュート１３１を介して入金リジェクト部１３８に送られる。
【０１０６】
硬貨投入口１２１に投入されたバラ硬貨が全て入金繰出部１２０により筐体１１２の内部に繰り出され、入金繰出部１２０にバラ硬貨が存在しなくなると、硬貨入出金装置１１０の動作が一旦停止する。そして、硬貨投入口１２１にバラ硬貨が追加投入されると、上述した１回目の整理処理が再び行われるようになる。
【０１０７】
また、硬貨入出金装置１１０において上述した１回目の整理処理が行われた後、包装部１６０に端数（具体的には、５０枚未満）のバラ硬貨が残存している場合には、この包装部１６０から端数分のバラ硬貨が回収される。具体的には、包装部１６０に端数分のバラ硬貨が残存している場合には、この情報が操作表示部３０２に表示されるとともに、端数分のバラ硬貨の排出処理を行うことを操作者に促すメッセージが操作表示部３０２に表示される。そして、操作者が操作表示部３０２により端数分のバラ硬貨の排出処理開始の指令を入力すると、包装部１６０に残存する端数分のバラ硬貨は排出シュート１６４により出金リジェクト箱１５６に送られる。また、上述したように、出金リジェクト箱１５６の近傍には、端数分のバラ硬貨を収納する端数硬貨収納箱１９７が設けられているとともに、この出金リジェクト箱１５６には、排出シュート１６４から送られた端数分のバラ硬貨を出金リジェクト箱１５６および端数硬貨収納箱１９７の何れかに分岐させる分岐部材１９６が設けられている。このような分岐部材１９６が設けられていることにより、排出シュート１６４により排出された端数分のバラ硬貨を出金リジェクト箱１５６および端数硬貨収納箱１９７のうち何れかに収納させることができるようになる。このようにして包装部１６０が空状態になる。
【０１０８】
包装部１６０が空状態になると、硬貨入出金装置１１０において２回目の整理処理が開始されるようになる。具体的には、入金一時保留部１４０における金種別一時保留部１４４の各保留領域１４４ａ〜１４４ｆに保留されているバラ硬貨のうち第２金種のバラ硬貨が当該金種別一時保留部１４４の保留領域１４４ａ〜１４４ｆから包装用シュート１４８により包装部１６０の回転円盤１６２上に送られる。また、回転円盤１６２上に集積されたバラ硬貨は包装機構１６８に送られ、この包装機構１６８によって重積状態となっている所定枚数の包装硬貨が包装媒体により包装される。このことにより包装部１６０において包装硬貨が作成される。その後、包装部１６０により作成された第２金種の包装硬貨は包装硬貨搬送ユニット２１０により包装硬貨出金部２３０等に送られ、この包装硬貨出金部２３０等により筐体１１２の外部に投出される。また、硬貨入出金装置１１０において上述した２回目の整理処理が行われた後、包装部１６０に端数（具体的には、５０枚未満）のバラ硬貨が残存している場合には、この包装部１６０から端数分のバラ硬貨が排出される。
【０１０９】
また、硬貨入出金装置１１０において上述した２回目の整理処理が行われた後、包装部１６０が空状態となったときに、入金一時保留部１４０における金種別一時保留部１４４の各保留領域１４４ａ〜１４４ｆに第３金種以降のバラ硬貨が保留されている場合には、３回目以降の整理処理が上述した２回目の整理処理と同様の方法により金種毎に行われるようになる。そして、入金一時保留部１４０における金種別一時保留部１４４の各保留領域１４４ａ〜１４４ｆに保留されているバラ硬貨が全て包装部１６０により包装されたり当該包装部１６０から排出されたりすると、整理処理の処理結果が操作表示部３０２に表示される。より詳細には、操作表示部３０２の画面には、各金種についての包装硬貨の本数や金額、および全ての金種の包装硬貨の合計金額等の情報が表示されるようになる。また、このような操作表示部３０２の画面において操作者が「完了」ボタンを押下すると、印字部３０４により硬貨の整理処理の結果に係る明細書がレシートに印字され、硬貨入出金装置１１０における一連の整理処理が完了する。
【０１１０】
また、上述した整理処理が行われる際に、１回目の整理処理が行われた後に入金一時保留部１４０における金種別一時保留部１４４の各保留領域１４４ａ〜１４４ｆに保留されているある金種のバラ硬貨の枚数（すなわち、第２金種以降のバラ硬貨の枚数）が、包装部１６０により包装されるべきバラ硬貨の所定の枚数（具体的には、５０枚）に満たない場合には、２回目以降の整理処理において入金一時保留部１４０における金種別一時保留部１４４の各保留領域１４４ａ〜１４４ｆに保留されている当該金種のバラ硬貨を包装部１６０の回転円盤１６２上ではなく排出部１５０に送るようにしてもよい。この場合には、２回目以降の整理処理において包装部１６０の回転円盤１６２上に端数分のバラ硬貨が集積されてしまうことを防止することができるようになる。
【０１１１】
また、上記の説明では、硬貨入出金装置１１０において整理処理が行われる際に各金種のバラ硬貨が入金識別部１２９により識別された順番に基づいて包装対象の硬貨の金種が第１金種〜第４金種として記憶部３０６に記憶されるような態様について述べてが、本実施の形態による整理処理はこのような方法に限定されることはない。硬貨入出金装置１１０における他の整理処理の方法として、操作者が操作表示部３０２により包装対象の硬貨の金種を設定し、この設定された情報が包装対象の硬貨の金種の情報として記憶部３０６に記憶されるようになっていてもよい。
【０１１２】
また、硬貨入出金装置１１０において上述した整理処理が行われる際に、包装部１６０により作成された包装硬貨は包装硬貨出金部２３０により筐体１１２の外部に投出される代わりに包装硬貨収納ユニット２００の各収納トレイ２４０に金種毎に収納されるようになっていてもよい。
【０１１３】
以上のような構成からなる本実施の形態の貨幣入出金機１によれば、制御部３００は、２つ以上の包装対象の金種を記憶部３０６に記憶させるとともに、投入部１４や硬貨投入口１２１により筐体１２、１１２の内部に投入されたバラ貨幣のうち、記憶部３０６に記憶されている２つ以上の包装対象の金種のうち少なくとも１つの包装対象の金種のバラ貨幣を集積部に送り、残りの包装対象の金種のバラ貨幣を一時保留部（具体的には、入金一時保留部３０、１４０）に送り、集積部に送られたバラ貨幣が包装部により包装されると一時保留部から残りの包装対象の金種のバラ貨幣を集積部に送って包装部により包装させるよう、紙幣入出金装置１０や硬貨入出金装置１１０の各構成部材の制御を行うようになっている。ここで、特許請求の範囲における「包装貨幣」は、帯封紙幣および包装硬貨の両方を含む概念のものであり、「包装貨幣作成部」は、帯封部４２および包装部１６０における包装機構１６８の両方を含む概念のものであり、「包装処理」は、紙幣の帯封処理および硬貨の包装処理の両方を含む概念のものとなっている。また、特許請求の範囲における「集積部」は、紙幣入出金装置１０では整理一時保留部４０に対応し、硬貨入出金装置１１０では包装部１６０における回転円盤１６２に対応している。上記の技術的事項によれば、投入部１４や硬貨投入口１２１により筐体１２、１１２の内部に投入されたバラ貨幣のうち、記憶部３０６に記憶されている２つ以上の包装対象の金種のうち少なくとも１つの包装対象の金種のバラ貨幣を集積部（具体的には、整理一時保留部４０や包装部１６０における回転円盤１６２）に送り、また、残りの包装対象の金種のバラ貨幣を一時保留部（具体的には、入金一時保留部３０、１４０）に送り、そして、集積部に送られたバラ貨幣が包装貨幣作成部（具体的には、帯封部４２や包装部１６０）により包装されると一時保留部から残りの包装対象の金種のバラ貨幣を集積部に送って包装貨幣作成部により包装させるようにしたため、複数の金種のバラ貨幣を混合状態で筐体１２、１１２の内部に投入し、金種毎にバラ貨幣を包装して複数の金種の包装貨幣を作成する場合に、集積部に送られたある金種のバラ貨幣が包装貨幣作成部により包装された後に操作者が残りの包装対象の金種のバラ貨幣を投入部１４や硬貨投入口１２１に再セットする必要がないため操作者の手間を省くことができるとともに合計の処理時間を短縮することができる。
【０１１４】
より詳細には、従来の貨幣入出金機において貨幣の整理処理を行うにあたり、複数の金種のバラ貨幣を混合状態で筐体の内部に投入し、金種毎にバラ貨幣を包装して複数の金種の包装貨幣を作成する場合に、１回目の処理で１金種目のバラ貨幣を集積部に送って包装貨幣作成部により包装する一方、この１金種目以外の金種のバラ貨幣を入金リジェクト口に送って筐体の外部に一旦返却していた。なぜならば、集積部には、包装貨幣作成部により包装されるべき１金種目のバラ貨幣しか集積させることができなかったからである。その後、操作者は入金リジェクト口からバラ貨幣を取り出して投入部に再セットすることにより２回目の処理を行う。この２回目の処理では、２金種目のバラ貨幣を集積部に送って包装貨幣作成部により包装する一方、この２金種目以外の金種のバラ貨幣を入金リジェクト口に送って筐体の外部に一旦返却する。また、３金種目以降のバラ貨幣を包装する場合には同様の操作を繰り返し行うようになる。しかしながら、このような従来の貨幣入出金機による貨幣の整理処理では、操作者は２回目以降の処理を行うために入金リジェクト口に返却されたバラ貨幣を投入部に再セットしなければならないため操作が面倒であるという問題がある。また、２金種目以降のバラ貨幣は２回以上も処理されるようになるため合計の処理時間が長くなってしまうという問題がある。これに対し、本実施の形態による貨幣入出金機１では、記憶部３０６に記憶されている２つ以上の包装対象の金種のうち少なくとも１つの包装対象の金種のバラ貨幣を集積部（具体的には、整理一時保留部４０や包装部１６０における回転円盤１６２）に送り、また、残りの包装対象の金種のバラ貨幣を一時保留部（具体的には、入金一時保留部３０、１４０）に送るようにし、集積部に送られたバラ貨幣が包装貨幣作成部（具体的には、帯封部４２や包装部１６０）により包装されると一時保留部から残りの包装対象の金種のバラ貨幣を集積部に送って包装貨幣作成部により包装させるようにしたため、上述した従来の貨幣入出金機の問題点を解消することができるようになる。
【０１１５】
また、本実施の形態による貨幣入出金機１においては、上述したように、制御部３００は、投入部１４や硬貨投入口１２１により筐体１２、１１２の内部に投入されたバラ貨幣のうち識別部２０や入金識別部１２９により識別されたバラ貨幣の金種を包装対象の金種として記憶部３０６に記憶させるようになっている。また、制御部３００は、投入部１４や硬貨投入口１２１により筐体１２、１１２の内部に投入されたバラ貨幣のうち識別部２０や入金識別部１２９により最初に識別された金種のバラ貨幣を集積部（具体的には、整理一時保留部４０や包装部１６０における回転円盤１６２）に送るよう搬送部１８や入金搬送部１２８を制御するようになっている。
【０１１６】
また、本実施の形態による貨幣入出金機１においては、上述したように、包装対象の金種を設定するための操作部として操作表示部３０２が設けられており、制御部３００は、操作表示部３０２による設定内容に基づいて包装対象の金種を記憶部３０６に記憶させるようになっていてもよい。
【０１１７】
また、本実施の形態による貨幣入出金機１においては、上述したように、制御部３００は、記憶部３０６に記憶されている包装対象の金種の数が集積部の数よりも多い場合に、投入部１４や硬貨投入口１２１により筐体１２、１１２の内部に投入されたバラ貨幣のうち一部の包装対象の金種のバラ貨幣を一時保留部（具体的には、入金一時保留部３０、１４０）に送るよう搬送部１８や入金搬送部１２８を制御するようになっている。
【０１１８】
また、本実施の形態による貨幣入出金機１においては、上述したように、包装貨幣作成部（具体的には、帯封部４２や包装部１６０）により作成された包装貨幣は筐体１２、１１２の外部に投出されるようになっている。あるいは、包装貨幣作成部により作成された包装貨幣は包装貨幣収納部（具体的には、帯封紙幣収納部７０や包装硬貨収納ユニット２００の各収納トレイ２４０）を収納されるようになっていてもよい。
【０１１９】
また、本実施の形態による貨幣入出金機１においては、上述したように、集積部（具体的には、整理一時保留部４０や包装部１６０における回転円盤１６２）に残留する所定枚数よりも少ない端数分のバラ貨幣は集積部以外の箇所に送られるようになっている。
【０１２０】
この場合に、紙幣入出金装置１０において、集積部としての整理一時保留部４０には、当該整理一時保留部４０に集積されているバラ紙幣を搬送部１８に繰り出す繰出機構が設けられていてもよい。
【０１２１】
また、本実施の形態による貨幣入出金機１においては、上述したように、一時保留部（具体的には、入金一時保留部３０、１４０）に一時的に保留されている包装対象の金種のバラ貨幣のうち所定枚数よりも少ない金種のバラ貨幣は集積部に送られないようになっている。このことにより、端数分の貨幣が集積部に集積されてしまうことを防止することができる。
【０１２２】
また、本実施の形態による貨幣入出金機１においては、上述したように、制御部３００は、包装対象の金種のバラ貨幣を集積部に送る際に、複数の集積部に同じ包装対象の金種を割り当てることができるようになっていてもよい。具体的には、図２に示すような紙幣入出金装置１０において２つの整理一時保留部４０が設けられている場合に、図９（ｂ）（ｃ）に示すように第１金種および第２金種として同じ金種を割り当ててもよい。
【０１２３】
なお、本実施の形態による貨幣入出金機１やこのような貨幣入出金機１による貨幣処理方法は、上述したような態様に限定されることはなく、様々な変更を加えることができる。
【０１２４】
例えば、本発明に係る貨幣処理装置は、紙幣入出金装置１０および硬貨入出金装置１１０を組み合わせた貨幣入出金機１に限定されることはない。本発明に係る貨幣処理装置として、紙幣入出金装置１０が単体で用いられてもよく、あるいは硬貨入出金装置１１０が単体で用いられてもよい。
【０１２５】
また、上記の説明では、２つ以上の包装対象の金種を記憶部３０６に記憶させるとともに、投入部１４や硬貨投入口１２１により筐体１２、１１２の内部に投入されたバラ貨幣のうち、記憶部３０６に記憶されている２つ以上の包装対象の金種のうち少なくとも１つの包装対象の金種のバラ貨幣を整理一時保留部４０や包装部１６０における回転円盤１６２等の集積部に送り、残りの包装対象の金種のバラ貨幣を入金一時保留部３０、１４０等の一時保留部に送るような態様について述べたが、記憶部３０６に記憶される包装対象の種別は金種に限定されることはない。記憶部３０６に記憶される、包装対象の種別が、バラ貨幣の金種、新旧（新券／流通券、Ｅ券／Ｄ券・・・）、正損、向きのうちのいずれか、あるいはこれらを組み合わせたものであってもよい。
【０１２６】
また、上述した貨幣入出金機１および上位端末等の外部装置３１０を組み合わせることにより本発明に係る貨幣処理システムが構成されるようになっていてもよい。この場合には、上位端末等の外部装置３１０は、貨幣入出金機１の管理を行う管理装置として機能するようになる。また、上記の説明では、２つ以上の包装対象の種別が記憶部３０６に記憶されるとともに、投入部１４や硬貨投入口１２１により筐体１２、１１２の内部に投入されたバラ貨幣のうち、記憶部３０６に記憶されている２つ以上の包装対象の種別のうち少なくとも１つの包装対象の種別のバラ貨幣を集積部に送り、残りの包装対象の種別のバラ貨幣を入金一時保留部３０、１４０等の一時保留部に送り、集積部に送られたバラ貨幣が包装部により包装されると一時保留部から残りの包装対象の種別のバラ貨幣を集積部に送って包装部により包装させるよう、制御部３００が紙幣入出金装置１０や硬貨入出金装置１１０の各構成部材の制御を行う態様について述べたが、制御部３００が紙幣入出金装置１０や硬貨入出金装置１１０の各構成部材を制御する代わりに管理装置としての外部装置３１０から貨幣入出金機１の各構成部材に指令が直接送られることによりこのような動作が行われるようになっていてもよい。すなわち、投入部１４や硬貨投入口１２１により筐体１２、１１２の内部に投入されたバラ貨幣のうち、記憶部３０６に記憶されている２つ以上の包装対象の種別のうち少なくとも１つの包装対象の種別のバラ貨幣を集積部に送り、残りの包装対象の種別のバラ貨幣を入金一時保留部３０、１４０等の一時保留部に送るよう紙幣入出金装置１０や硬貨入出金装置１１０の各構成部材の制御を行う制御部が、上位端末等の外部装置３１０に設けられていてもよい。また、２つ以上の包装対象の種別を記憶する記憶部が、上位端末等の外部装置３１０に設けられていてもよい。
【０１２７】
また、本発明に係る貨幣処理装置として、図１５および図１６に示す紙幣処理装置が用いられてもよい。ここで、図１５は、変形例に係る紙幣処理装置の内部構成を概略的に示す概略構成図であり、図１６は、図１５に示す紙幣処理装置における制御系の構成を示す機能ブロック図である。
【０１２８】
図１５に示すように、変形例に係る紙幣処理装置３９０は、図１５（ａ）に示すようなバラ紙幣処理ユニット４００と、図１５（ｂ）に示すような束紙幣処理ユニット５００とを組み合わせたものとなっている。具体的には、バラ紙幣処理ユニット４００および束紙幣処理ユニット５００はそれぞれ略直方体形状のものとなっており、これらのバラ紙幣処理ユニット４００および束紙幣処理ユニット５００が左右に並ぶよう配置されることにより変形例に係る紙幣処理装置３９０が構成されている。バラ紙幣処理ユニット４００および束紙幣処理ユニット５００の各構成部材について以下に説明する。
【０１２９】
図１５（ａ）に示すように、バラ紙幣処理ユニット４００は略直方体形状の筐体４０２を有しており、このバラ紙幣処理ユニット４００には、外部から筐体４０２内に紙幣を投入するための紙幣投入部４１０および筐体４０２内から外部にバラ紙幣を投出するためのバラ紙幣投出部４５２がそれぞれ設けられている。紙幣投入部４１０には紙幣繰出部４１２が設けられており、外部から紙幣投入部４１０に投入されたバラ紙幣は紙幣繰出部４１２により１枚ずつ筐体４０２内に繰り出されるようになっている。また、紙幣繰出部４１２には入金搬送部４１４が接続されており、紙幣繰出部４１２により筐体４０２内に繰り出されたバラ紙幣は入金搬送部４１４により１枚ずつ搬送されるようになっている。ここで、入金搬送部４１４には入金識別部４１６が設けられており、入金搬送部４１４により搬送されるバラ紙幣は入金識別部４１６によりその金種、真偽、表裏、正損、新旧、搬送状態等が識別されるようになっている。また、入金搬送部４１４によるバラ紙幣の搬送方向における入金識別部４１６の下流側には表裏反転部４１８が設けられており、入金識別部４１６により識別された紙幣は表裏反転部４１８によりその表裏が整えられるようになっている。具体的には、表裏反転部４１８に送られたバラ紙幣のうち、例えば裏面が上側となっているバラ紙幣のみの表裏が反転されることにより、この表裏反転部４１８から出されたバラ紙幣は全て表面（おもてめん）が上側となるようになる。また、入金搬送部４１４には入金リジェクト部４２０が接続されており、入金識別部４１６により正常な紙幣ではないと識別されたバラ紙幣、すなわちリジェクト紙幣が入金搬送部４１４から入金リジェクト部４２０に送られるようになっている。入金リジェクト部４２０はバラ紙幣処理ユニット４００の筐体４０２の外部からアクセス可能となっており、操作者はこの入金リジェクト部４２０に集積されたリジェクト紙幣を手動で取り出すことができるようになっている。
【０１３０】
また、図１５（ａ）に示すように、入金搬送部４１４には複数（例えば４つ）の一時保留部４３２が接続されている。ここで、複数の一時保留部４３２は入金搬送部４１４や後述する下部搬送部４４６に対して並列に並ぶよう配設されている。入金搬送部４１４から各一時保留部４３２に搬送されたバラ紙幣は、これらの一時保留部４３２において積層状態で集積されることにより一時的に保留されるようになっている。なお、各一時保留部４３２にはそれぞれ特定の金種のバラ紙幣が一時的に保留されるようになっている。また、各一時保留部４３２にはそれぞれ当該一時保留部４３２に保留されているバラ紙幣を入金搬送部４１４に繰り出す紙幣繰出部（図示せず）が設けられている。
【０１３１】
また、各一時保留部４３２に対応して複数の紙幣収納庫４４２が設けられている。ここで、各紙幣収納庫４４２には、対応する一時保留部４３２から送られたバラ紙幣が積層状態で収納されるようになっている。なお、各紙幣収納庫４４２にはそれぞれ特定の金種のバラ紙幣が収納されるようになっている。具体的には、４つの紙幣収納庫４４２において左から順に例えば一万円紙幣、五千円紙幣、二千円紙幣および千円紙幣がそれぞれ収納されるようになっている。また、各紙幣収納庫４４２にはそれぞれ紙幣繰出部４４４が設けられており、これらの紙幣収納庫４４２からバラ紙幣が１枚ずつ紙幣繰出部４４４により繰り出されるようになっている。
【０１３２】
また、図１５（ａ）に示すように、各紙幣繰出部４４４には下部搬送部４４６が接続されており、各紙幣繰出部４４４により紙幣収納庫４４２から繰り出されたバラ紙幣は下部搬送部４４６により１枚ずつ搬送されるようになっている。ここで、下部搬送部４４６には出金識別部４４８が接続されており、下部搬送部４４６により搬送されるバラ紙幣は出金識別部４４８によりその金種、真偽、表裏、正損、新旧、搬送状態等が識別されるようになっている。なお、出金識別部４４８は、バラ紙幣の金種、新旧および搬送状態のみの識別を行い、バラ紙幣の真偽、表裏、正損の識別は行わないようになっていてもよい。また、出金識別部４４８には出金搬送部４５０が接続されており、この出金識別部４４８により識別されたバラ紙幣は出金搬送部４５０により１枚ずつ搬送されるようになっている。
【０１３３】
図１５（ａ）に示すように、出金搬送部４５０にはバラ紙幣投出部４５２、出金リジェクト部４５４、２つの整理一時保留部４６０（特許請求の範囲における「集積部」に対応）がそれぞれ接続されており、出金識別部４４８により識別されたバラ紙幣のうち、筐体４０２の外部に投出されるべきバラ紙幣は出金搬送部４５０によりバラ紙幣投出部４５２に送られてこのバラ紙幣投出部４５２に集積されるようになっている。バラ紙幣投出部４５２はバラ紙幣処理ユニット４００の筐体４０２の外部からアクセス可能となっており、操作者はこのバラ紙幣投出部４５２に集積されたバラ紙幣を手動で取り出すことができるようになっている。また、出金識別部４４８により正常な紙幣ではないと識別されたバラ紙幣、すなわちリジェクト紙幣は出金搬送部４５０により出金リジェクト部４５４に送られるようになっている。また、出金リジェクト部４５４に集積されたリジェクト紙幣を取り出すにあたり、操作者はバラ紙幣処理ユニット４００の筐体４０２に設けられた扉を開いて出金リジェクト部４５４内のリジェクト紙幣を取り出すようになっている。また、出金識別部４４８により識別されたバラ紙幣のうち、束紙幣処理ユニット５００により帯封されるべきバラ紙幣は出金搬送部４５０により各整理一時保留部４６０に送られるようになっている。各整理一時保留部４６０では、出金搬送部４５０から送られたバラ紙幣が積層状態で集積されるようになっている。また、図１５（ａ）に示すように、出金識別部４４８により識別されたバラ紙幣を出金搬送部４５０により表裏反転部４１８に送ることができるようになっており、出金搬送部４５０により表裏反転部４１８に送られたバラ紙幣は入金搬送部４１４により各一時保留部４３２に搬送されるようになっている。また、各一時保留部４３２から入金搬送部４１４に繰り出されたバラ紙幣を当該入金搬送部４１４から出金搬送部４５０に送ることができるようになっている。
【０１３４】
図１５（ａ）に示すように、入金搬送部４１４や出金搬送部４５０における分岐箇所には分岐部材４７０がそれぞれ設けられており、これらの分岐部材４７０により分岐箇所におけるバラ紙幣の搬送先が決められるようになっている。また、入金搬送部４１４、下部搬送部４４６、出金搬送部４５０にはバラ紙幣の検出を行う紙幣検出センサ４８０が複数設けられている。また、本実施の形態では、出金搬送部４５０における、出金識別部４４８と各整理一時保留部４６０との間には、紙幣厚さ検知センサ４８２および半券検知センサ４８４がそれぞれ設けられている。また、半券検知センサ４８４は、バラ紙幣投出部４５２への入口部分である出金搬送部４５０にも設けられている。
【０１３５】
図１５（ｂ）に示すように、束紙幣処理ユニット５００は略直方体形状の筐体５０２を有しており、この束紙幣処理ユニット５００の筐体５０２内には、整理一時保留部４６０に集積された紙幣束を取り出すためのアーム部５１０と、アーム部５１０により取り出された紙幣束を帯封するための帯封部５１２とがそれぞれ設けられている。アーム部５１０により整理一時保留部４６０から取り出された紙幣束は帯封部５１２に送られて当該帯封部５１２により帯封されるようになっている。具体的には、帯封部５１２の近傍にはテープセット部５１４が設けられており、このテープセット部５１４から帯封紙が帯封部５１２に送られることによって、帯封部５１２において例えば１００枚の紙幣束が帯封紙により結束されるようになっている。帯封部５１２には第１帯封紙幣搬送部５１６が接続されており、帯封部５１２により帯封された帯封紙幣は第１帯封紙幣搬送部５１６により帯封紙幣投出部５１８に搬送されるようになっている。帯封紙幣投出部５１８は束紙幣処理ユニット５００の筐体５０２の外部からアクセス可能となっており、操作者はこの帯封紙幣投出部５１８に送られた帯封紙幣を手動で取り出すことができるようになっている。
【０１３６】
また、図１５（ｂ）に示すように、帯封紙幣投出部５１８には第２帯封紙幣搬送部５２０やリフト部５２４が接続されている。第２帯封紙幣搬送部５２０には帯封紙幣判別部５２２が設けられており、この帯封紙幣判別部５２２は、帯封紙幣投出部５１８から第２帯封紙幣搬送部５２０に送られた帯封紙幣の金種等の判別を行うようになっている。また、第２帯封紙幣搬送部５２０には複数の帯封紙幣収納カセット５３０が接続されており、帯封部５１２により帯封された帯封紙幣のうち、帯封紙幣投出部５１８により筐体５０２の外部に投出されない帯封紙幣は第２帯封紙幣搬送部５２０により各帯封紙幣収納カセット５３０に金種別に収納されるようになっている。また、各帯封紙幣収納カセット５３０にはカセット駆動部５３２が設けられており、これらのカセット駆動部５３２により、各帯封紙幣収納カセット５３０に収納された帯封紙幣が第２帯封紙幣搬送部５２０に繰り出されるようになっている。各帯封紙幣収納カセット５３０から第２帯封紙幣搬送部５２０に繰り出された帯封紙幣は帯封紙幣投出部５１８に送られ、この帯封紙幣投出部５１８から筐体５０２の外部に投出される。また、第１帯封紙幣搬送部５１６から帯封紙幣投出部５１８に送られた帯封紙幣はリフト部５２４により図１５（ｂ）における上下方向に搬送可能となっている。ここで、リフト部５２４の下部にも回収用の開口が設けられており、リフト部５２４により下部に搬送された帯封紙幣はこの開口から筐体５０２の外部に投出可能となっている。
【０１３７】
また、図１５に示すような変形例に係る紙幣処理装置３９０には、当該紙幣処理装置３９０のバラ紙幣処理ユニット４００および束紙幣処理ユニット５００の各構成部材の制御を行う制御部６００が設けられている。より詳細には、図１６に示すように、制御部６００にはバラ紙幣処理ユニット４００の各構成部材（具体的には、紙幣繰出部４１２、入金搬送部４１４、入金識別部４１６、表裏反転部４１８、一時保留部４３２、紙幣繰出部４４４、下部搬送部４４６、出金識別部４４８、出金搬送部４５０、分岐部材４７０、各種センサ４８０、４８２、４８４）および束紙幣処理ユニット５００の各構成部材（具体的には、アーム部５１０、帯封部５１２、テープセット部５１４、第１帯封紙幣搬送部５１６、帯封紙幣投出部５１８、第２帯封紙幣搬送部５２０、帯封紙幣判別部５２２、リフト部５２４、カセット駆動部５３２）がそれぞれ接続されている。そして、バラ紙幣処理ユニット４００の入金識別部４１６や出金識別部４４８によるバラ紙幣の識別結果に係る情報や、各種センサ４８０、４８２、４８４によるバラ紙幣の検知結果に係る情報、ならびに帯封紙幣判別部５２２による帯封紙幣の金種等の判別結果に係る情報等が制御部６００に送られるようになっている。また、制御部６００は、バラ紙幣処理ユニット４００および束紙幣処理ユニット５００の各構成部材に指令信号を送ることによりこれらの構成部材の制御を行うようになっている。
【０１３８】
また、図１６に示すように、変形例に係る紙幣処理装置３９０において、制御部６００には表示部６１２、操作部６１４、記憶部６１６、印字部６１８および通信インターフェース部６２０がそれぞれ接続されている。表示部６１２は例えばバラ紙幣処理ユニット４００の筐体４０２や束紙幣処理ユニット５００の筐体５０２の前面や上面に設けられたモニタ等からなり、バラ紙幣処理ユニット４００や束紙幣処理ユニット５００による紙幣の処理状況や、各紙幣収納庫４４２に収納されているバラ紙幣の在高等に関する情報、および各帯封紙幣収納カセット５３０に収納されている帯封紙幣の在高等に関する情報が表示部６１２に表示されるようになっている。また、操作部６１４は例えばキーボードや操作キー等からなり、操作者はこの操作部６１４により制御部６００に対して様々な指令を与えることができるようになっている。なお、表示部６１２および操作部６１４がそれぞれ設けられる代わりに、表示部６１２および操作部６１４の機能が一体化されたタッチパネル等の操作表示部がバラ紙幣処理ユニット４００の筐体４０２や束紙幣処理ユニット５００の筐体５０２の前面や上面に設けられていてもよい。
【０１３９】
記憶部６１６には、バラ紙幣処理ユニット４００や束紙幣処理ユニット５００による紙幣の処理履歴や、各紙幣収納庫４４２に収納されているバラ紙幣の在高等に関する情報、および各帯封紙幣収納カセット５３０に収納されている帯封紙幣の在高等に関する情報が記憶されるようになっている。また、印字部６１８は、バラ紙幣処理ユニット４００や束紙幣処理ユニット５００による紙幣の処理履歴や、各紙幣収納庫４４２に収納されているバラ紙幣の在高等に関する情報、および各帯封紙幣収納カセット５３０に収納されている帯封紙幣の在高等に関する情報をレシート等に印字するようになっている。また、制御部６００は通信インターフェース部６２０を介して変形例に係る紙幣処理装置３９０とは別に設けられた外部装置６２２（具体的には、例えば上位端末）に対して信号の送受信を行うことができるようになっている。
【０１４０】
次に、図１５等に示すような変形例に係る紙幣処理装置３９０の動作について説明する。変形例に係る紙幣処理装置３９０では、紙幣投入部４１０によりバラ紙幣処理ユニット４００の筐体４０２の内部に投入されたバラ紙幣を帯封部５１２により帯封することにより帯封紙幣を作成し、この作成された帯封紙幣を帯封紙幣投出部５１８により束紙幣処理ユニット５００の筐体５０２の外部に投出するような整理処理を行うことができるようになっている。このような変形例に係る紙幣処理装置３９０により行われる整理処理の詳細について以下に説明する。なお、以下に示すような動作は制御部６００が紙幣処理装置３９０におけるバラ紙幣処理ユニット４００や束紙幣処理ユニット５００の各構成部材を制御することにより行われるようになっている。
【０１４１】
図１５等に示すような変形例に係る紙幣処理装置３９０において整理処理を行おうとする操作者が操作部６１４により操作者ＩＤの入力を行うと、表示部６１２にはメニュー画面が表示されるようになる。そして、操作者が操作部６１４により紙幣の整理処理開始の指令を制御部６００に与えた後、バラ紙幣処理ユニット４００の紙幣投入部４１０に複数のバラ紙幣を積層状態で投入すると、紙幣投入部４１０に投入されたバラ紙幣は１枚ずつ紙幣繰出部４１２により筐体４０２の内部に繰り出され、この繰り出されたバラ紙幣は入金搬送部４１４により入金識別部４１６に搬送される。そして、入金識別部４１６によりバラ紙幣の金種、真偽、表裏、正損、新旧、搬送状態等が識別された後、表裏反転部４１８によりその表裏が揃うように反転させられる。
【０１４２】
その後、入金識別部４１６により識別されたバラ紙幣の金種が、帯封部５１２により帯封されるべき金種である場合には、当該バラ紙幣は入金搬送部４１４から出金搬送部４５０に送られ、出金搬送部４５０により整理一時保留部４６０に搬送され、この整理一時保留部４６０に集積される。また、入金識別部４１６により識別されたバラ紙幣の金種が、帯封部５１２により帯封されるべき金種ではない場合には、当該バラ紙幣は入金搬送部４１４から各一時保留部４３２に金種毎に送られ、これらの一時保留部４３２に保留される。また、入金識別部４１６により正常ではないと識別されたバラ紙幣や入金識別部４１６により識別することができなかったバラ紙幣はリジェクト紙幣として入金リジェクト部４２０に送られる。また、操作者は入金リジェクト部４２０からリジェクト紙幣を取り出して紙幣投入部４１０に再投入等することができるようになっている。
【０１４３】
そして、整理一時保留部４６０に所定枚数（例えば、１００枚）のバラ紙幣が集積されると、整理一時保留部４６０に集積された所定枚数のバラ紙幣からなる紙幣束がアーム部５１０により帯封部５１２に搬送される。アーム部５１０により整理一時保留部４６０から取り出された紙幣束が当該アーム部５１０により帯封部５１２に搬送されると、この帯封部５１２において、テープセット部５１４から当該帯封部５１２に送られた帯封紙により紙幣束が結束されることによって帯封紙幣が作成される。帯封部５１２により作成された帯封紙幣は第１帯封紙幣搬送部５１６により帯封紙幣投出部５１８に搬送され、操作者はこの帯封紙幣投出部５１８に送られた帯封紙幣を手動で取り出すことができるようになる。
【０１４４】
また、図１５等に示すような変形例に係る紙幣処理装置３９０では、整理一時保留部４６０の数が２つであるため、変形例に係る紙幣処理装置３９０において紙幣の整理処理が行われる際に３種類以上の金種のバラ紙幣が紙幣投入部４１０に投入された場合には、２つの金種のバラ紙幣については入金識別部４１６により識別した後に各整理一時保留部４６０に金種毎に送る一方、その他の金種のバラ紙幣については各一時保留部４３２に一旦送り、整理一時保留部４６０に送られたバラ紙幣が帯封部５１２により帯封されてこの整理一時保留部４６０が空状態となった後に、一時保留部４３２から整理一時保留部４６０にバラ紙幣を送るようになっている。このような動作の詳細について以下に説明する。
【０１４５】
図１５等に示すような変形例に係る紙幣処理装置３９０において紙幣の整理処理が行われる際に、上述したように、紙幣投入部４１０に投入されたバラ紙幣が筐体４０２の内部に繰り出されて入金識別部４１６により識別されるようになっているが、制御部６００において、入金識別部４１６により識別された最初の金種のバラ紙幣における当該金種が第１金種として設定され、入金識別部４１６により識別された２番目の金種のバラ紙幣における当該金種が第２金種として設定され、入金識別部４１６により識別された３番目以降の金種のバラ紙幣における当該金種が第３金種以降として設定されるようになっている。制御部６００において設定された、帯封対象の紙幣の金種の情報は記憶部６１６に記憶されるようになっている。
【０１４６】
図１５等に示すような変形例に係る紙幣処理装置３９０では整理一時保留部４６０の数が２つであるため、紙幣投入部４１０に投入されたバラ紙幣が筐体４０２の内部に繰り出されて入金識別部４１６により識別されたときに、入金識別部４１６により識別されたバラ紙幣の金種が第１金種である場合には当該バラ紙幣は上側の整理一時保留部４６０に搬送され、また、入金識別部４１６により識別されたバラ紙幣の金種が第２金種である場合には当該バラ紙幣は下側の整理一時保留部４６０に搬送される。また、上側の整理一時保留部４６０または下側の整理一時保留部４６０に所定枚数（例えば、１００枚）のバラ紙幣が集積されると、整理一時保留部４６０に集積された所定枚数のバラ紙幣からなる紙幣束がアーム部５１０により帯封部５１２に搬送され、帯封部５１２により帯封紙幣が作成される。その後、帯封部５１２により作成された帯封紙幣は帯封紙幣投出部５１８により筐体５０２の外部に投出される。整理一時保留部４６０から所定枚数のバラ紙幣が取り出された後、帯封部５１２により帯封紙幣が生成されている間にも、後続の第１金種あるいは第２金種のバラ紙幣は対応する整理一時保留部４６０へ搬送される。一方、紙幣投入部４１０に投入されたバラ紙幣が筐体５０２の内部に繰り出されて入金識別部４１６により識別されたときに、入金識別部４１６により識別されたバラ紙幣の金種が第１金種や第２金種ではない場合には当該バラ紙幣は入金搬送部４１４により各一時保留部４３２に金種毎に搬送され、各一時保留部４３２に金種毎に保留されるようになる。なお、１回目の整理処理が行われる際に、入金識別部４１６により正常ではないと識別されたバラ紙幣や入金識別部４１６により識別することができなかったバラ紙幣はリジェクト紙幣として入金リジェクト部４２０に送られる。
【０１４７】
紙幣投入部４１０に投入されたバラ紙幣が全て筐体４０２の内部に繰り出され、紙幣投入部４１０にバラ紙幣が存在しなくなると、紙幣処理装置３９０の動作が一旦停止する。そして、紙幣投入部４１０にバラ紙幣が追加投入されると、上述した１回目の整理処理が再び行われるようになる。
【０１４８】
また、変形例に係る紙幣処理装置３９０において上述した１回目の整理処理が行われた後、整理一時保留部４６０に端数（具体的には、１００枚未満）のバラ紙幣が残存している場合には、この整理一時保留部４６０から端数分のバラ紙幣が回収される。具体的には、整理一時保留部４６０に端数分のバラ紙幣が残存している場合には、この情報が表示部６１２に表示されるとともに、整理一時保留部４６０から端数分のバラ紙幣を取り出すことを操作者に促すメッセージが表示部６１２に表示されるようになる。そして、操作者は筐体４０２からバラ紙幣処理ユニット４００における引出ユニットを手前側に引き出すことにより各整理一時保留部４６０から端数分のバラ紙幣を手動で取り出す。また、各整理一時保留部４６０に繰出部が設けられている場合には、各整理一時保留部４６０に集積されている端数分のバラ紙幣を繰出部により出金搬送部４５０に繰り出し、この繰り出されたバラ紙幣を出金搬送部４５０によりバラ紙幣投出部４５２に送る。このことにより、操作者はバラ紙幣投出部４５２から端数分のバラ紙幣を取り出すことができるようになる。このようにして、各整理一時保留部４６０が空状態になる。
【０１４９】
各整理一時保留部４６０が空状態になると、変形例に係る紙幣処理装置３９０において２回目の整理処理が開始されるようになる。具体的には、各一時保留部４３２に保留されているバラ紙幣のうち第３金種のバラ紙幣および第４金種のバラ紙幣がそれぞれ各一時保留部４３２から入金搬送部４１４に金種毎に繰り出され、この繰り出されたバラ紙幣は入金搬送部４１４から出金搬送部４５０に送られ、出金搬送部４５０により各整理一時保留部４６０に搬送される。この際に、第３金種のバラ紙幣は上側の整理一時保留部４６０に送られるとともに第４金種のバラ紙幣は下側の整理一時保留部４６０に送られるようになる。また、上側の整理一時保留部４６０または下側の整理一時保留部４６０に所定枚数（例えば、１００枚）のバラ紙幣が集積されると、整理一時保留部４６０に集積された所定枚数のバラ紙幣からなる紙幣束がアーム部５１０により帯封部５１２に搬送され、帯封部５１２により帯封紙幣が作成される。その後、帯封部５１２により作成された帯封紙幣は帯封紙幣投出部５１８により筐体５０２の外部に投出される。整理一時保留部４６０から所定枚数のバラ紙幣が取り出された後、帯封部５１２により帯封紙幣が生成されている間にも、後続の第３金種あるいは第４金種のバラ紙幣は対応する整理一時保留部４６０へ搬送される。
【０１５０】
また、変形例に係る紙幣処理装置３９０において上述した２回目の整理処理が行われた後、整理一時保留部４６０に端数（具体的には、１００枚未満）のバラ紙幣が残存している場合には、この整理一時保留部４６０から端数分のバラ紙幣が回収される。なお、２回目の整理処理において端数分のバラ紙幣を整理一時保留部４６０から回収する方法は、上述した１回目の整理処理において端数分のバラ紙幣を整理一時保留部４６０から回収する方法と同じとなっている。
【０１５１】
そして、全てのバラ紙幣の帯封、返却または回収が行われると、整理処理の処理結果が表示部６１２に表示される。このような表示部６１２の画面には、各金種についての帯封紙幣の束数や金額、および全ての金種の帯封紙幣の合計金額等の情報が表示されるようになる。また、操作者が操作部６１４における「完了」ボタンを押下すると、印字部６１８により紙幣の整理処理の結果に係る明細書がレシートに印字され、変形例に係る紙幣処理装置３９０における一連の整理処理が完了する。
【０１５２】
なお、変形例に係る紙幣処理装置３９０では、上述した整理処理が行われる際に、１回目または２回目の整理処理が行われた後に整理一時保留部４６０に端数（具体的には、１００枚未満）のバラ紙幣が残存している場合に、アーム部５１０により整理一時保留部４６０から端数分のバラ紙幣の束が取り出され、この取り出された端数分のバラ紙幣の束がアーム部５１０により帯封部５１２に送られるようになっていてもよい。そして、帯封部５１２に送られた端数分のバラ紙幣の束は帯封部５１２により帯封されることなく帯封紙幣投出部５１８に送られるようになる。この場合に、帯封紙幣投出部５１８に設けられたステージ上に既に載置されている帯封紙幣の上に端数分のバラ紙幣の束が載置されるようになる。このことにより、操作者は帯封紙幣投出部５１８から端数分のバラ紙幣も取り出すことができるようになる。また、この際には、表示部６１２に整理処理の処理結果が表示されるときに、帯封紙幣投出部５１８から投出される端数分のバラ紙幣の金種毎の枚数や金額に係る情報が表示部６１２に表示されるようになっていてもよい。
【０１５３】
また、上述した整理処理が行われる際に、１回目または２回目の整理処理が行われた後に整理一時保留部４６０に端数（具体的には、１００枚未満）のバラ紙幣が残存している場合に、アーム部５１０により整理一時保留部４６０から端数分のバラ紙幣の束が取り出され、この取り出された端数分のバラ紙幣の束が帯封部５１２により帯封されるようになっていてもよい。また、帯封部５１２の近傍に、バラ紙幣を帯封するための帯封紙に印字を行う印字機構が設けられており、端数分のバラ紙幣の束が帯封部５１２により帯封される際に、この端数分のバラ紙幣の束に巻かれるべき帯封紙に、端数分のバラ紙幣であることを示す旨の文字が印字機構により印字されるようになっていてもよい。
【０１５４】
また、上述した整理処理が行われる際に、１回目の整理処理が行われた後に各一時保留部４３２に保留されている各金種のバラ紙幣の枚数（具体的には、第３金種のバラ紙幣の枚数や第４金種のバラ紙幣の枚数）が、帯封部５１２により帯封されるべきバラ紙幣の所定の枚数（具体的には、１００枚）に満たないことが判明している場合には、２回目の整理処理において各一時保留部４３２から入金搬送部４１４に繰り出された当該金種のバラ紙幣（すなわち、１００枚未満の端数分のバラ紙幣）を出金搬送部４５０によりバラ紙幣投出部４５２に直接送るようにしてもよい。この場合には、２回目の整理処理において整理一時保留部４６０に端数分のバラ紙幣が集積されてしまうことを防止することができるようになる。
【０１５５】
また、上記の説明では、変形例に係る紙幣処理装置３９０において整理処理が行われる際に各金種のバラ紙幣が入金識別部４１６により識別された順番に基づいて帯封対象の紙幣の金種が第１金種〜第４金種として記憶部６１６に記憶されるような態様について述べたが、変形例に係る紙幣処理装置３９０において行われる整理処理はこのような方法に限定されることはない。変形例に係る紙幣処理装置３９０において行われる他の整理処理の方法として、操作者が操作部６１４により帯封対象の紙幣の金種を設定し、この設定された情報が帯封対象の紙幣の金種の情報として記憶部６１６に記憶されるようになっていてもよい。このような態様について以下に説明する。
【０１５６】
変形例に係る紙幣処理装置３９０において整理処理を行うにあたり、整理処理が行われるバラ紙幣において例えば特定の金種のバラ紙幣の占める割合が大きい場合には、１回目の整理処理が行われる際にこの特定の金種のバラ紙幣が上側の整理一時保留部４６０および下側の整理一時保留部４６０にそれぞれ送られるよう第１金種および第２金種をこのバラ紙幣の金種に設定する。また、それ以外の金種のバラ紙幣については２回目の整理処理で帯封されるよう、第３金種および第４金種を設定する。例えば、整理処理が行われるバラ紙幣において例えば一万円紙幣の占める割合が大きい場合には、第１金種および第２金種としてそれぞれ一万円を設定する。また、第３金種および第４金種としてそれぞれ千円、五千円を設定する。
【０１５７】
操作者が操作部６１４により帯封対象の紙幣の金種を設定し、この設定された情報が帯封対象の紙幣の金種の情報として記憶部６１６に記憶されると、１回目の整理処理において、紙幣投入部４１０に投入されたバラ紙幣が筐体４０２の内部に繰り出されて入金識別部４１６により識別されたときに、入金識別部４１６により識別されたバラ紙幣の金種が例えば一万円である場合には当該バラ紙幣は上側の整理一時保留部４６０または下側の整理一時保留部４６０に搬送され、これらの整理一時保留部４６０に集積される。また、上側の整理一時保留部４６０または下側の整理一時保留部４６０に所定枚数（例えば、１００枚）のバラ紙幣が集積されると、整理一時保留部４６０に集積された所定枚数のバラ紙幣からなる紙幣束がアーム部５１０により帯封部５１２に搬送され、帯封部５１２により帯封紙幣が作成される。また、アーム部５１０により紙幣束が一方の整理一時保留部４６０から取り出されている間、出金搬送部４５０から他方の整理一時保留部４６０にバラ紙幣が送られてこの他方の整理一時保留部４６０にバラ紙幣が集積されるようになる。その後、帯封部５１２により作成された帯封紙幣は帯封紙幣投出部５１８により筐体５０２の外部に投出される。２個の整理一時保留部４６０を交互に使いながらこのような動作を繰り返すことにより、一万円紙幣の帯封紙幣が生成される。また、入金識別部４１６により識別されたバラ紙幣の金種が千円または五千円である場合には当該バラ紙幣は入金搬送部４１４により各一時保留部４３２に金種毎に搬送され、これらの一時保留部４３２に金種毎に保留されるようになる。なお、１回目の整理処理が行われる際に、入金識別部４１６により正常ではないと識別されたバラ紙幣や入金識別部４１６により識別することができなかったバラ紙幣はリジェクト紙幣として入金リジェクト部４２０に送られる。また、１回目の整理処理が行われる際に、入金識別部４１６により識別されたバラ紙幣の金種が第１金種〜第４金種ではない場合（具体的には、入金識別部４１６により識別されたバラ紙幣の金種が二千円である場合）にもこのバラ紙幣は帯封対象外の紙幣として入金リジェクト部４２０に送られる。
【０１５８】
そして、各整理一時保留部４６０が空状態になると、変形例に係る紙幣処理装置３９０において２回目の整理処理が開始されるようになる。具体的には、各一時保留部４３２に保留されているバラ紙幣のうち第３金種のバラ紙幣および第４金種のバラ紙幣が各一時保留部４３２から入金搬送部４１４に金種毎に繰り出され、この繰り出されたバラ紙幣は出金搬送部４５０により各整理一時保留部４６０に搬送される。この際に、第３金種のバラ紙幣は上側の整理一時保留部４６０に送られるとともに第４金種のバラ紙幣は下側の整理一時保留部４６０に送られるようになる。また、上側の整理一時保留部４６０または下側の整理一時保留部４６０に所定枚数（例えば、１００枚）のバラ紙幣が集積されると、整理一時保留部４６０に集積された所定枚数のバラ紙幣からなる紙幣束がアーム部５１０により帯封部５１２に搬送され、帯封部５１２により帯封紙幣が作成される。その後、帯封部５１２により作成された帯封紙幣は帯封紙幣投出部５１８により筐体５０２の外部に投出される。このような動作を繰り返すことで、変形例に係る紙幣処理装置３９０における紙幣の整理処理が完了する。
【０１５９】
また、変形例に係る紙幣処理装置３９０において、整理一時保留部４６０が２つ設けられる代わりに、１つの整理一時保留部４６０のみが設けられるようになっていてもよい。この場合には、整理一時保留部４６０が１つしか設けられていないため、１回の整理処理で１金種ずつしかバラ紙幣の帯封処理を行うことができない。この場合には、操作者が例えば操作部６１４によって第１金種として一万円を設定し、第２金種として千円を設定したときには、１回目の整理処理で一万円紙幣の帯封処理を行うとともに２回目の整理処理で千円紙幣の帯封処理を行うことができるようになる。
【０１６０】
また、変形例に係る紙幣処理装置３９０において上述した整理処理が行われる際に、帯封部５１２により作成された帯封紙幣は帯封紙幣投出部５１８により筐体５０２の外部に投出される代わりに第２帯封紙幣搬送部５２０により各帯封紙幣収納カセット５３０に金種毎に送られ、各帯封紙幣収納カセット５３０に金種毎に収納されるようになっていてもよい。
【０１６１】
以上のように、図１５および図１６に示すような変形例に係る紙幣処理装置３９０でも、図１乃至図１４に示すような貨幣入出金機１の紙幣入出金装置１０と同様に、制御部６００は、２つ以上の帯封対象の金種を記憶部６１６に記憶させるとともに、紙幣投入部４１０により筐体４０２の内部に投入されたバラ紙幣のうち、記憶部６１６に記憶されている２つ以上の帯封対象の金種のうち少なくとも１つの帯封対象の金種のバラ紙幣を集積部としての整理一時保留部４６０に送り、残りの帯封対象の金種のバラ紙幣を一時保留部４３２に送り、整理一時保留部４６０に送られたバラ紙幣が帯封部５１２により帯封されると一時保留部４３２から残りの帯封対象の金種のバラ紙幣を整理一時保留部４６０に送って帯封部５１２により帯封させるよう、紙幣処理装置３９０の各構成部材の制御を行うようになっている。このような技術的事項によれば、紙幣投入部４１０により筐体４０２の内部に投入されたバラ紙幣のうち、記憶部６１６に記憶されている２つ以上の帯封対象の金種のうち少なくとも１つの帯封対象の金種のバラ紙幣を整理一時保留部４６０に送り、また、残りの帯封対象の金種のバラ紙幣を一時保留部４３２に送り、そして、整理一時保留部４６０に送られたバラ紙幣が帯封部５１２により帯封されると一時保留部４３２から残りの帯封対象の金種のバラ紙幣を整理一時保留部４６０に送って帯封部５１２により帯封させるようにしたため、複数の金種のバラ紙幣を混合状態で筐体４０２の内部に投入し、金種毎にバラ紙幣を帯封して複数の金種の帯封紙幣を作成する場合に、整理一時保留部４６０に送られたある金種のバラ紙幣が帯封部５１２により帯封された後に操作者が残りの帯封対象の金種のバラ紙幣を紙幣投入部４１０に再セットする必要がないため操作者の手間を省くことができるとともに合計の処理時間を短縮することができる。
【０１６２】
また、上記の説明では、２つ以上の帯封対象の金種を記憶部６１６に記憶させるとともに、紙幣投入部４１０により筐体４０２の内部に投入されたバラ紙幣のうち、記憶部６１６に記憶されている２つ以上の帯封対象の金種のうち少なくとも１つの帯封対象の金種のバラ紙幣を整理一時保留部４６０に送り、残りの帯封対象の金種のバラ紙幣を一時保留部４３２に送るような態様について述べたが、記憶部６１６に記憶される帯封対象の種別は金種に限定されることはない。記憶部６１６に記憶される、帯封対象の種別が、バラ紙幣の金種、新旧、正損、向きのうちのいずれか、あるいはこれらを組み合わせたものであってもよい。
【符号の説明】
【０１６３】
１        貨幣入出金機
１０、１０ａ  紙幣入出金装置
１２      筐体
１２ａ    下部扉
１３      引出ユニット
１４      投入部
１６      繰出部
１８      搬送部
２０      識別部
２２      表裏反転部
２４      バラ紙幣投出部
２４ａ    シャッター
２４ｂ    シャッター駆動部
２６      出金リジェクト部
３０      入金一時保留部
３０ａ    ステージ
３０ｂ    紙幣繰出繰入部
３２      混合バラ紙幣収納部
３２ａ    ステージ
３２ｂ    紙幣繰入部
３４      金種別バラ紙幣収納部
３４ａ    ステージ
３４ｂ    紙幣繰出繰入部
４０      整理一時保留部
４２      帯封部
４４      アーム機構
４６      帯封紙幣揚送部
４６ａ    ステージ
４８      帯封紙幣投出部
４８ａ    シャッター
４８ｂ    シャッター駆動部
５０      ロック機構
６０      帯封紙幣搬送部
６０ａ    突起
６０ｂ    循環ベルト
６２      判別部
７０      帯封紙幣収納部
７０ａ    ステージ
１１０    硬貨入出金装置
１１２    筐体
１１４、１１５  前扉
１２０    入金繰出部
１２１    硬貨投入口
１２２    供給円盤
１２４    回転円盤
１２６    繰出機構
１２８    入金搬送部
１２９    入金識別部
１３０    リジェクト選別部
１３１    入金リジェクト用シュート
１３４    任意選別部
１３６、１３６ａ〜１３６ｆ  金種別選別部
１３８    入金リジェクト部
１４０    入金一時保留部
１４２    任意一時保留部
１４４    金種別一時保留部
１４４ａ〜１４４ｆ  保留領域
１４５    第１駆動機構
１４６    底部材
１４７    第２駆動機構
１４８    包装用シュート
１５０    排出部
１５０ａ  返却箱
１５２    収納繰出部
１５２ａ〜１５２ｆ  収納領域
１５２ｐ  硬貨繰出部
１５４    コンベア
１５５    出金識別部
１５６    出金リジェクト箱
１５７    包装用シュート
１５８    出金用シュート
１６０    包装部
１６２    回転円盤
１６３    コンベア
１６４    排出シュート
１６５    包装硬貨用シュート
１６７    横搬送部
１６８    包装機構
１６８ａ  包装ローラ
１６９    切換部材
１７０    シュート機構
１７２    上部シュート
１７４    貯留用シュート
１７４ａ  排出側開口
１７５    貯留袋
１７６    包装用シュート
１７８    分岐部材
１９０    出金箱
１９０ａ  取っ手
１９２    シャッタ部材
１９４    出金リジェクト用シュート
１９６    分岐部材
１９７    端数硬貨収納箱
１９８    バラ硬貨一括収納箱
２００    包装硬貨収納ユニット
２０４    ストッパ機構
２０４ａ  ストッパ部分
２１０    包装硬貨搬送ユニット
２１２    プーリ
２１４    循環ベルト
２１６    突起
２１８、２１９、２２０  分岐部材
２３０    包装硬貨出金部
２３２    包装硬貨一括収納箱
２３６    包装硬貨投出部
２３８    包装硬貨投出用シュート
２４０    収納トレイ
２５０    ロック機構
３００    制御部
３０２    操作表示部
３０４    印字部
３０６    記憶部
３０８    通信インターフェース部
３１０    外部装置
３９０    紙幣処理装置
４００    バラ紙幣処理ユニット
４０２    筐体
４１０    紙幣投入部
４１２    紙幣繰出部
４１４    入金搬送部
４１６    入金識別部
４１８    表裏反転部
４２０    入金リジェクト部
４３２    一時保留部
４４２    紙幣収納庫
４４４    紙幣繰出部
４４６    下部搬送部
４４８    出金識別部
４５０    出金搬送部
４５２    バラ紙幣投出部
４５４    出金リジェクト部
４６０    整理一時保留部
４７０    分岐部材
４８０    紙幣検出センサ
４８２    紙幣厚さ検知センサ
４８４    半券検知センサ
５００    束紙幣処理ユニット
５０２    筐体
５１０    アーム部
５１２    帯封部
５１４    テープセット部
５１６    第１帯封紙幣搬送部
５１８    帯封紙幣投出部
５２０    第２帯封紙幣搬送部
５２２    帯封紙幣判別部
５２４    リフト部
５３０    帯封紙幣収納カセット
５３２    カセット駆動部
６００    制御部
６１２    表示部
６１４    操作部
６１６    記憶部
６１８    印字部
６２０    通信インターフェース部
６２２    外部装置
【図１】
0006683493.tif 000002
【図２】
0006683493.tif 000003
【図３】
0006683493.tif 000004
【図４】
0006683493.tif 000005
【図５】
0006683493.tif 000006
【図６】
0006683493.tif 000007
【図７】
0006683493.tif 000008
【図８】
0006683493.tif 000009
【図９】
0006683493.tif 000010
【図１０】
0006683493.tif 000011
【図１１】
0006683493.tif 000012
【図１２】
0006683493.tif 000013
【図１３】
0006683493.tif 000014
【図１４】
0006683493.tif 000015
【図１５】
0006683493.tif 000016
【図１６】
0006683493.tif 000017